(57)【要約】  ジアミノスチルベンに基づく新規の化合物を提供する。化合物は、一般構造（式）に従う。化合物は、蛍光増白剤として有用である。また、そのような化合物を含有する組成物、例として、洗濯組成物も提供する。  【化１】2013531706.tif 000125
2013531706.tif 000002
【特許請求の範囲】
【請求項１】
式（Ｉ）の構造に従う化合物
【化１】
2013531706.tif 000077
式中、Ｒ1は、カルボニルまたはスルホニルであり；
Ｒ3は、
（Ａ）ヒドロキシル；
（Ｂ）−Ｏ-Ｍ+（式中、Ｍ+は、正の荷電をもつ対イオンである）；
（Ｃ）式（ＩＩ）の構造に従う置換基
【化２】
2013531706.tif 000078
（Ｄ）式（ＩＩＩ）の構造に従う置換基
【化３】
2013531706.tif 000079
（式中、Ｒ40、Ｒ41およびＲ42は、独立に、アルキルおよびヒドロキシアルキルからなる群から選択される）；
（Ｅ）式（ＩＶ）の構造に従う置換基
【化４】
2013531706.tif 000080
（式中、Ｒ45はＣ1〜Ｃ10アルキルである）；
（Ｆ）式（ＶＩ）の構造に従う置換基
【化５】
2013531706.tif 000081
（式中、Ｒ22は、水素、アルキル、ヒドロキシアルキル、アルキルアミン、アルキルアミド、アリールおよびヒドロキシアリールからなる群から選択され；ａは０〜１００の整数であり；Ｒ34は水素またはアルキルである）；
（Ｇ）式（ＶＩＩ）の構造に従う置換基
【化６】
2013531706.tif 000082
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｈ）式（Ｘ）の構造に従う置換基
【化７】
2013531706.tif 000083
（式中、Ｒ29は、水素またはアルキルアミンであり、ｇは２以上の整数である）；
（Ｉ）式（ＸＩＩ）の構造に従う置換基
【化８】
2013531706.tif 000084
（式中、Ｒ30は、水素またはアルキルである）；および
（Ｊ）−ＯＲ6、−ＮＨＲ6および−ＮＲ6Ｒ6からなる群から選択される置換基；ここで、Ｒ6は、−Ｒ7−Ｏ−Ｒ8−Ｒ9および−Ｒ8−Ｒ9からなる群から選択され；Ｒ7は、アルキルまたはアリールであり；Ｒ9は、水素またはアルキルであり；Ｒ8は、
（ｉ）式（Ｖ）の構造に従う繰り返し単位から独立に選択される２以上の二価の繰り返し単位を含む二価のオリゴマー置換基
【化９】
2013531706.tif 000085
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化１０】
2013531706.tif 000086
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化１１】
2013531706.tif 000087
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化１２】
2013531706.tif 000088
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基である；
から成る群より選択され、
Ｒ4およびＲ5は、独立に、水素、アルコキシ、アミノ、アルキルアミノ、アリールアミノ、ヒドロキシアルキルアミノ、モルホリノ、アニリン、アルキルアニリノ、ピペラジニル、ピペリジニル、
（Ｋ）式（ＩＩ）の構造に従う置換基
【化１３】
2013531706.tif 000089
（Ｌ）式（ＩＩＩ）の構造に従う置換基
【化１４】
2013531706.tif 000090
（式中、Ｒ40、Ｒ41およびＲ42は、独立に、アルキルおよびヒドロキシアルキルからなる群から選択される）；
（Ｍ）式（ＩＶ）の構造に従う置換基
【化１５】
2013531706.tif 000091
（式中、Ｒ45はＣ1〜Ｃ10アルキルである）；
（Ｎ）式（ＶＩ）の構造に従う置換基
【化１６】
2013531706.tif 000092
（式中、Ｒ22は、水素、アルキル、ヒドロキシアルキル、アルキルアミン、アルキルアミド、アリールおよびヒドロキシアリールからなる群から選択され；ａは０〜１００の整数であり；Ｒ34は水素またはアルキルである）；
（Ｏ）式（ＶＩＩ）の構造に従う置換基
【化１７】
2013531706.tif 000093
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｐ）式（Ｘ）の構造に従う置換基
【化１８】
2013531706.tif 000094
（式中、Ｒ29は、水素またはアルキルアミンであり、ｇは２以上の整数である）；
（Ｑ）式（ＸＩＩ）の構造に従う置換基
【化１９】
2013531706.tif 000095
（式中、Ｒ30は、水素またはアルキルである）；および
（Ｒ）−ＯＲ10、−ＮＨＲ10および−ＮＲ10Ｒ10からなる群から選択される置換基、ここで、Ｒ10は、−Ｒ11−Ｏ−Ｒ12−Ｒ13および−Ｒ12−Ｒ13からなる群から選択され；Ｒ11は、アルキルまたはアリールであり；Ｒ13は、水素またはアルキルであり；Ｒ12は、
（ｉ）式（Ｖ）の構造に従う繰り返し単位から独立に選択される２以上の二価の繰り返し単位を含む二価のオリゴマー置換基
【化２０】
2013531706.tif 000096
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化２１】
2013531706.tif 000097
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化２２】
2013531706.tif 000098
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化２３】
2013531706.tif 000099
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基である；
からなる群から選択され、
ここで、Ｒ4とＲ5が両方とも、水素、アルコキシ、アミノ、アルキルアミノ、アリールアミノ、ヒドロキシアルキルアミノ、モルホリノ、アニリノおよびアルキルアニリノからなる群から選択される場合、Ｒ3は、ヒドロキシルでも−Ｏ-Ｍ+でもない。
【請求項２】
Ｒ8が、エチレンオキシド、プロピレンオキシドおよびブチレンオキシドからなる群から選択される２以上のモノマーを含む二価のオリゴマー置換基である、請求項１に記載の化合物。
【請求項３】
Ｒ8が、式（ＸＩＩＩ）〜（ＸＶ）
【化２４】
2013531706.tif 000100
のうちの１つの構造に従う二価のオリゴマー置換基であり、ｘ、ｙおよびｚが、０〜１００の整数であり、ｘ、ｙおよびｚの和が２以上である、請求項２に記載の化合物。
【請求項４】
Ｒ1がスルホニルであり、Ｒ3が−ＮＨＲ6である、請求項１に記載の化合物。
【請求項５】
Ｒ6が式（ＩＩ）の構造に従う基である、請求項４に記載の化合物。
【請求項６】
Ｒ6が−Ｒ7−Ｏ−Ｒ8−Ｒ9であり、Ｒ7がＣ1〜Ｃ10アルキルであり、Ｒ8が式（ＸＩＩＩ）〜（ＸＶ）
【化２５】
2013531706.tif 000101
のうちの１つの構造に従う二価のオリゴマー置換基であり、ｘ、ｙおよびｚが０〜１００の整数であり、ｘ、ｙおよびｚの和が２以上である、請求項４に記載の化合物。
【請求項７】
Ｒ6が−Ｒ8−Ｒ9であり、Ｒ8が式（ＸＩＩＩ）〜（ＸＶ）
【化２６】
2013531706.tif 000102
のうちの１つの構造に従う二価のオリゴマー置換基であり、ｘ、ｙおよびｚが０〜１００の整数であり、ｘ、ｙおよびｚの和が２以上である、請求項４に記載の化合物。
【請求項８】
Ｒ4が−ＯＲ10または−ＮＨＲ10である、請求項１に記載の化合物。
【請求項９】
Ｒ12が、エチレンオキシド、プロピレンオキシドおよびブチレンオキシドからなる群から選択される３以上のモノマーを含む二価のオリゴマー置換基である、請求項８に記載の化合物。
【請求項１０】
Ｒ12が式（ＸＩＩＩ）〜（ＸＶ）
【化２７】
2013531706.tif 000103
のうちの１つの構造に従う二価のオリゴマー置換基であり、ｘ、ｙおよびｚが０〜１００の整数であり、ｘ、ｙおよびｚの和が２以上である、請求項９に記載の化合物。
【請求項１１】
Ｒ4が−ＮＨＲ10であり、Ｒ10が−Ｒ11−Ｏ−Ｒ12−Ｒ13であり、Ｒ11がＣ1〜Ｃ10アルキルであり、Ｒ12が式（ＸＩＩＩ）〜（ＸＩＶ）
【化２８】
2013531706.tif 000104
のうちの１つの構造に従う二価のオリゴマー置換基であり、ｘ、ｙおよびｚが０〜１００の整数であり、ｘ、ｙおよびｚの和が２以上である、請求項８に記載の化合物。
【請求項１２】
Ｒ4が−ＮＨＲ10であり、Ｒ10が−Ｒ12−Ｒ13であり、Ｒ12が式（ＸＩＩＩ）〜（ＸＶ）
【化２９】
2013531706.tif 000105
のうちの１つの構造に従う二価のオリゴマー置換基であり、ｘ、ｙおよびｚが０〜１００の整数であり、ｘ、ｙおよびｚの和が２以上である、請求項８に記載の化合物。
【請求項１３】
Ｒ5が−ＯＲ14または−ＮＨＲ14である、請求項８に記載の化合物。
【請求項１４】
Ｒ16がエチレンオキシド、プロピレンオキシドおよびブチレンオキシドからなる群から選択される３以上のモノマーを含む二価のオリゴマー置換基である、請求項１３に記載の化合物。
【請求項１５】
Ｒ5が−ＮＨＲ14であり、Ｒ14が−Ｒ15−Ｏ−Ｒ16−Ｒ17であり、Ｒ15がＣ1〜Ｃ10アルキルであり、Ｒ16が式（ＸＩＩＩ）〜（ＸＶ）
【化３０】
2013531706.tif 000106
のうちの１つの構造に従う二価のオリゴマー置換基であり、ｘ、ｙおよびｚが０〜１００の整数であり、ｘ、ｙおよびｚの和が２以上である、請求項１３に記載の化合物。
【請求項１６】
Ｒ5が−ＮＨＲ14であり、Ｒ14が−Ｒ16−Ｒ17であり、Ｒ16が式（ＸＩＩＩ）〜（ＸＶ）
【化３１】
2013531706.tif 000107
のうちの１つの構造に従う二価のオリゴマー置換基であり、ｘ、ｙおよびｚが０〜１００の整数であり、ｘ、ｙおよびｚの和が２以上である、請求項１３に記載の化合物。
【請求項１７】
式（ＸＸ）の構造に従う化合物
【化３２】
2013531706.tif 000108
式中、Ｒ1は、カルボニルまたはスルホニルであり；
Ｒ3は、
（Ａ）ヒドロキシル；
（Ｂ）−Ｏ-Ｍ+（式中、Ｍ+は、正の荷電をもつ対イオンである）；
（Ｃ）式（ＩＩ）の構造に従う置換基
【化３３】
2013531706.tif 000109
（Ｄ）式（ＩＩＩ）の構造に従う置換基
【化３４】
2013531706.tif 000110
（式中、Ｒ40、Ｒ41およびＲ42は、独立に、アルキルおよびヒドロキシアルキルからなる群から選択される）；
（Ｅ）式（ＩＶ）の構造に従う置換基
【化３５】
2013531706.tif 000111
（式中、Ｒ45はＣ1〜Ｃ10アルキルである）；
（Ｆ）式（ＶＩ）の構造に従う置換基
【化３６】
2013531706.tif 000112
（式中、Ｒ22は、水素、アルキル、ヒドロキシアルキル、アルキルアミン、アルキルアミド、アリールおよびヒドロキシアリールからなる群から選択され；ａは０〜１００の整数であり；Ｒ34は水素またはアルキルである）；
（Ｇ）式（ＶＩＩ）の構造に従う置換基
【化３７】
2013531706.tif 000113
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｈ）式（Ｘ）の構造に従う置換基
【化３８】
2013531706.tif 000114
（式中、Ｒ29は水素またはアルキルアミンであり、ｇは２以上の整数である）；
（Ｉ）式（ＸＩＩ）の構造に従う置換基
【化３９】
2013531706.tif 000115
（式中、Ｒ30は水素またはアルキルである）；および
（Ｊ）−ＯＲ6、−ＮＨＲ6および−ＮＲ6Ｒ6からなる群から選択される置換基；ここで、Ｒ6は、−Ｒ7−Ｏ−Ｒ8−Ｒ9および−Ｒ8−Ｒ9からなる群から選択され；Ｒ7は、アルキルまたはアリールであり；Ｒ9は、水素またはアルキルであり；Ｒ8は、
（ｉ）式（Ｖ）の構造に従う繰り返し単位から独立に選択される２以上の二価の繰り返し単位を含む二価のオリゴマー置換基
【化４０】
2013531706.tif 000116
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化４１】
2013531706.tif 000117
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化４２】
2013531706.tif 000118
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化４３】
2013531706.tif 000119
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基である；
からなる群から選択され；
Ｒ50は、−Ｒ51−Ｒ52または−ＯＲ10であり、ただし、Ｒ51は、独立に、Ｒ1について上記に列挙した置換基から選択され、Ｒ52は、独立に、Ｒ3について上記に列挙した置換基から選択され；
Ｒ10は、−Ｒ11−Ｏ−Ｒ12−Ｒ13および−Ｒ12−Ｒ13からなる群から選択され；Ｒ11は、アルキルまたはアリールであり；Ｒ13は、水素またはアルキルであり；Ｒ12は、
（ｉ）式（Ｖ）の構造に従う繰り返し単位から独立に選択される２以上の二価の繰り返し単位を含む二価のオリゴマー置換基
【化４４】
2013531706.tif 000120
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化４５】
2013531706.tif 000121
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化４６】
2013531706.tif 000122
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化４７】
2013531706.tif 000123
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基であり、
Ｒ52がヒドロキシルまたは−Ｏ-Ｍ+のいずれかである場合、Ｒ3はヒドロキシルでも−Ｏ-Ｍ+でもなく、Ｒ3がヒドロキシルまたは−Ｏ-Ｍ+のいずれかである場合、Ｒ52はヒドロキシルでも−Ｏ-Ｍ+でもない。
【請求項１８】
Ｒ8が、エチレンオキシド、プロピレンオキシドおよびブチレンオキシドからなる群から選択される２以上のモノマーを含む二価のオリゴマー置換基である、請求項１７に記載の化合物。
【請求項１９】
Ｒ8が、式（ＸＩＩＩ）〜（ＸＶ）
【化４８】
2013531706.tif 000124
のうちの１つの構造に従う二価のオリゴマー置換基であり、ｘ、ｙおよびｚが０〜１００の整数であり、ｘ、ｙおよびｚの和が２以上である、請求項１８に記載の化合物。
【請求項２０】
Ｒ1がスルホニルであり、Ｒ3がヒドロキシルまたは−Ｏ-Ｍ+であり、Ｒ50が−ＯＲ10である、請求項１７に記載の化合物。
【請求項２１】
Ｒ10が−Ｒ12−Ｒ13であり；Ｒ12が、エチレンオキシド、プロピレンオキシドおよびブチレンオキシドからなる群から選択される２以上のモノマーを含む二価のオリゴマー置換基であり；Ｒ13が水素である、請求項２０に記載の化合物。
【請求項２２】
洗濯用成分と請求項１〜２１のいずれか一項に記載の化合物とを含む洗濯用組成物。
【発明の詳細な説明】
【技術分野】
【０００１】
本発明は、新規の蛍光増白剤およびそれを含む組成物を提供する。
【背景技術】
【０００２】
蛍光増白剤は、電磁スペクトルの紫外領域の光（例えば、４００ｎｍ未満）を吸収し、電磁スペクトルの紫色および青色の領域の光（例えば、４００ｎｍ超）を再放射する蛍光物質のクラスである。蛍光増白剤は、物質、例として、紙および織物の色または外観を増強するための多様な適用例において使用される。一般に、そのような物質の感受される白色度を、物質から出てくる青色光（すなわち、物質から反射された光と、物質上に付着させた材料が放射する光）の全体的な量を増加させることによって増加させるために、蛍光増白剤は使用される。
【０００３】
蛍光増白剤が、多様な物質を処理するために使用されているが、いくつかの市販されている蛍光増白剤は、特定の基材上に有効に付着させるのが困難であることが証明されている。例えば、いくつかの市販されている蛍光増白剤は、ポリエステル系の織物上には有効に付着しない。そのような蛍光増白剤が、洗濯用組成物中で使用される場合、組成物を用いて処理されたポリエステル系の織物は典型的には、蛍光増白剤の付着を示さず、したがって、白色度指数の改善を示さない。
【発明の概要】
【０００４】
したがって、多様な基材上において有効な白色化を示す蛍光増白剤、およびそのような蛍光増白剤を含む組成物（例えば、洗濯用組成物）が依然としてやはり必要である。本出願は、そのような蛍光増白剤を提供することを探求する。
【０００５】
上記に示したように、本発明は、蛍光増白剤として使用するのに適している新規の化合物を提供する。特に、本発明は、４，４’−ジアミノスチルベン−２，２’−ジスルホン酸または４，４’−ジアミノスチルベン−２，２’−ジカルボン酸の誘導体である新規の化合物を提供する。
【０００６】
第１の実施形態では、本発明は、式（Ｉ）の構造に従う化合物を提供する
【化１】
2013531706.tif 000003
【０００７】
式中、Ｒ1は、カルボニルまたはスルホニルであり；
Ｒ3は、
（Ａ）ヒドロキシル；
（Ｂ）−Ｏ-Ｍ+（式中、Ｍ+は、正の荷電をもつ対イオンである）；
（Ｃ）式（ＩＩ）の構造に従う置換基
【化２】
2013531706.tif 000004
【０００８】
（Ｄ）式（ＩＩＩ）の構造に従う置換基
【化３】
2013531706.tif 000005
【０００９】
（式中、Ｒ40、Ｒ41およびＲ42は、独立に、アルキルおよびヒドロキシアルキルからなる群から選択される）；
（Ｅ）式（ＩＶ）の構造に従う置換基
【化４】
2013531706.tif 000006
【００１０】
（式中、Ｒ45はＣ1〜Ｃ10アルキルである）；
（Ｆ）式（ＶＩ）の構造に従う置換基
【化５】
2013531706.tif 000007
【００１１】
（式中、Ｒ22は、水素、アルキル、ヒドロキシアルキル、アルキルアミン、アルキルアミド、アリールおよびヒドロキシアリールからなる群から選択され；ａは、０〜１００の整数であり；Ｒ34は水素またはアルキルである）；
（Ｇ）式（ＶＩＩ）の構造に従う置換基
【化６】
2013531706.tif 000008
【００１２】
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｈ）式（Ｘ）の構造に従う置換基
【化７】
2013531706.tif 000009
【００１３】
（式中、Ｒ29は、水素またはアルキルアミンであり、ｇは、２以上の整数である）；
（Ｉ）式（ＸＩＩ）の構造に従う置換基
【化８】
2013531706.tif 000010
【００１４】
（式中、Ｒ30は、水素またはアルキルである）；および
（Ｊ）−ＯＲ6、−ＮＨＲ6および−ＮＲ6Ｒ6からなる群から選択される置換基；ここで、Ｒ6は、−Ｒ7−Ｏ−Ｒ8−Ｒ9および−Ｒ8−Ｒ9からなる群から選択され；Ｒ7は、アルキルまたはアリールであり；Ｒ9は、水素またはアルキルであり；Ｒ8は、
（ｉ）式（Ｖ）の構造に従う繰り返し単位から独立に選択される２以上の二価の繰り返し単位を含む二価のオリゴマー置換基
【化９】
2013531706.tif 000011
【００１５】
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化１０】
2013531706.tif 000012
【００１６】
（式中、Ｒ25およびＲ26は、独立に、水素、ヒドロキシルおよびＣ1〜Ｃ10アルキルからなる群から選択され、ｃは、１〜１２の整数であり、ｄは、１〜１００の整数である）；
（ｉｉｉ）式（ＩＸ）の構造に従う二価の置換基
【化１１】
2013531706.tif 000013
【００１７】
（式中、Ｒ27およびＲ28は、独立に、水素、ヒドロキシルおよびＣ1〜Ｃ10アルキルからなる群から選択され、ｅは、１〜１２の整数であり、ｆは、１〜１００の整数である）；
（ｉｖ）式（ＸＩ）の構造に従う二価の置換基
【化１２】
2013531706.tif 000014
【００１８】
（式中、Ｒ31、Ｒ32およびＲ33は、独立に、アルキルおよびヒドロキシアルキルから選択され、ｈは、１〜１００の整数である）；および
（ｖ）（ｉ）〜（ｉｖ）からなる群から選択される２以上の置換基を含む二価の置換基
からなる群から選択される二価の置換基である；
からなる群から選択され；
Ｒ4およびＲ5は、独立に、水素、アルコキシ、アミノ、アルキルアミノ、アリールアミノ、ヒドロキシアルキルアミノ、モルホリノ、アニリン、アルキルアニリノ、ピペラジニル、ピペリジニル
（Ｋ）式（ＩＩ）の構造に従う置換基
【化１３】
2013531706.tif 000015
【００１９】
（Ｌ）式（ＩＩＩ）の構造に従う置換基
【化１４】
2013531706.tif 000016
【００２０】
（式中、Ｒ40、Ｒ41およびＲ42は、独立に、アルキルおよびヒドロキシアルキルからなる群から選択される）；
（Ｍ）式（ＩＶ）の構造に従う置換基
【化１５】
2013531706.tif 000017
【００２１】
（式中、Ｒ45はＣ1〜Ｃ10アルキルである）；
（Ｎ）式（ＶＩ）の構造に従う置換基
【化１６】
2013531706.tif 000018
【００２２】
（式中、Ｒ22は、水素、アルキル、ヒドロキシアルキル、アルキルアミン、アルキルアミド、アリールおよびヒドロキシアリールからなる群から選択され；ａは、０〜１００の整数であり；Ｒ34は水素またはアルキルである）；
（Ｏ）式（ＶＩＩ）の構造に従う置換基
【化１７】
2013531706.tif 000019
【００２３】
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｐ）式（Ｘ）の構造に従う置換基
【化１８】
2013531706.tif 000020
【００２４】
（式中、Ｒ29は、水素またはアルキルアミンであり、ｇは２以上の整数である）；
（Ｑ）式（ＸＩＩ）の構造に従う置換基
【化１９】
2013531706.tif 000021
【００２５】
（式中、Ｒ30は、水素またはアルキルである）；および
（Ｒ）−ＯＲ10、−ＮＨＲ10および−ＮＲ10Ｒ10からなる群から選択される置換基、ここで、Ｒ10は、−Ｒ11−Ｏ−Ｒ12−Ｒ13および−Ｒ12−Ｒ13からなる群から選択され；Ｒ11は、アルキルまたはアリールであり；Ｒ13は、水素またはアルキルであり；Ｒ12は、
（ｉ）式（Ｖ）の構造に従う繰り返し単位から独立に選択される２以上の二価の繰り返し単位を含む二価のオリゴマー置換基
【化２０】
2013531706.tif 000022
【００２６】
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化２１】
2013531706.tif 000023
【００２７】
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化２２】
2013531706.tif 000024
【００２８】
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化２３】
2013531706.tif 000025
【００２９】
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基
からなる群から選択される二価の置換基である；
からなる群から選択される。
【００３０】
本発明の化合物のそのような実施形態では、Ｒ4とＲ5が両方とも、水素、アルコキシ、アミノ、アルキルアミノ、アリールアミノ、ヒドロキシアルキルアミノ、モルホリノ、アニリノおよびアルキルアニリノからなる群から選択される場合、Ｒ3は、ヒドロキシルでも−Ｏ-Ｍ+でもない（すなわち、少なくとも１つのＲ3は、ヒドロキシルでも−Ｏ-Ｍ+でもない）。
【００３１】
別の実施形態では、本発明は、式（ＸＸ）の構造に従う化合物を提供する
【化２４】
2013531706.tif 000026
【００３２】
式中、Ｒ1は、カルボニルまたはスルホニルであり；
Ｒ3は、
（Ａ）ヒドロキシル；
（Ｂ）−Ｏ-Ｍ+（式中、Ｍ+は、正の荷電をもつ対イオンである）；
（Ｃ）式（ＩＩ）の構造に従う置換基
【化２５】
2013531706.tif 000027
【００３３】
（Ｄ）式（ＩＩＩ）の構造に従う置換基
【化２６】
2013531706.tif 000028
【００３４】
（式中、Ｒ40、Ｒ41およびＲ42は、独立に、アルキルおよびヒドロキシアルキルからなる群から選択される）；
（Ｅ）式（ＩＶ）の構造に従う置換基
【化２７】
2013531706.tif 000029
【００３５】
（式中、Ｒ45はＣ1〜Ｃ10アルキルである）；
（Ｆ）式（ＶＩ）の構造に従う置換基
【化２８】
2013531706.tif 000030
【００３６】
（式中、Ｒ22は、水素、アルキル、ヒドロキシアルキル、アルキルアミン、アルキルアミド、アリールおよびヒドロキシアリールからなる群から選択され；ａは０〜１００の整数であり；Ｒ34は水素またはアルキルである）；
（Ｇ）式（ＶＩＩ）の構造に従う置換基
【化２９】
2013531706.tif 000031
【００３７】
（式中、Ｒ23およびＲ24は、独立に、水素、アルキル、ヒドロキシアルキル、アルキルアミン、アルキルアミド、アリールおよびヒドロキシアリールからなる群から選択され；ｂは０〜１００の整数であり；Ｒ34は水素またはアルキルである）；
（Ｈ）式（Ｘ）の構造に従う置換基
【化３０】
2013531706.tif 000032
【００３８】
（式中、Ｒ29は、水素またはアルキルアミンであり、ｇは２以上の整数である）；
（Ｉ）式（ＸＩＩ）の構造に従う置換基
【化３１】
2013531706.tif 000033
【００３９】
（式中、Ｒ30は、水素またはアルキルである）；および
（Ｊ）−ＯＲ6、−ＮＨＲ6および−ＮＲ6Ｒ6からなる群から選択される置換基、ここで、Ｒ6は、−Ｒ7−Ｏ−Ｒ8−Ｒ9および−Ｒ8−Ｒ9からなる群から選択され；Ｒ7は、アルキルまたはアリールであり；Ｒ9は、水素またはアルキルであり；Ｒ8は、
（ｉ）式（Ｖ）の構造に従う繰り返し単位から独立に選択される２以上の二価の繰り返し単位を含む二価のオリゴマー置換基
【化３２】
2013531706.tif 000034
【００４０】
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化３３】
2013531706.tif 000035
【００４１】
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化３４】
2013531706.tif 000036
【００４２】
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化３５】
2013531706.tif 000037
【００４３】
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基である；
からなる群から選択され；
Ｒ50は、−Ｒ51−Ｒ52または−ＯＲ10であり、ただし、Ｒ51は、独立に、Ｒ1について上記に列挙した置換基から選択され、Ｒ52は、独立に、Ｒ3について上記に列挙した置換基から選択され；
Ｒ10は、−Ｒ11−Ｏ−Ｒ12−Ｒ13および−Ｒ12−Ｒ13からなる群から選択され；Ｒ11は、アルキルまたはアリールであり；Ｒ13は、水素またはアルキルであり；Ｒ12は、
（ｉ）式（Ｖ）の構造に従う繰り返し単位から独立に選択される２以上の二価の繰り返し単位を含む二価のオリゴマー置換基
【化３６】
2013531706.tif 000038
【００４４】
（式中、Ｒ20およびＲ21は、独立に、水素、アルキル、ヒドロキシアルキル、アリール、アルコキシアルキルおよびアリールオキシアルキルからなる群から選択される）；
（ｉｉ）式（ＶＩＩＩ）の構造に従う二価の置換基
【化３７】
2013531706.tif 000039
【００４５】
（式中、Ｒ25およびＲ26は、独立に、水素、ヒドロキシルおよびＣ1〜Ｃ10アルキルからなる群から選択され、ｃは１〜１２の整数であり、ｄは１〜１００の整数である）；
（ｉｉｉ）式（ＩＸ）の構造に従う二価の置換基
【化３８】
2013531706.tif 000040
【００４６】
（式中、Ｒ27およびＲ28は、独立に、水素、ヒドロキシルおよびＣ1〜Ｃ10アルキルからなる群から選択され、ｅは１〜１２の整数であり、ｆは１〜１００の整数である）；
（ｉｖ）式（ＸＩ）の構造に従う二価の置換基
【化３９】
2013531706.tif 000041
【００４７】
（式中、Ｒ31、Ｒ32およびＲ33は、独立に、アルキルおよびヒドロキシアルキルから選択され、ｈは１〜１００の整数である）；および
（ｖ）（ｉ）〜（ｉｖ）からなる群から選択される２以上の置換基を含む二価の置換基；
からなる群から選択される二価の置換基である。
【００４８】
そのような実施形態では、両方のＲ52が、ヒドロキシルまたは−Ｏ-Ｍ+のいずれかである場合、少なくとも１つのＲ3は、ヒドロキシルでも−Ｏ-Ｍ+でもなく、両方のＲ3が、ヒドロキシルまたは−Ｏ-Ｍ+のいずれかである場合、少なくとも１つのＲ52は、ヒドロキシルでも−Ｏ-Ｍ+でもない。
【００４９】
また、本発明は、上記記載の化合物のうちの１以上を含む洗濯組成物、例として、洗濯洗剤および織物手入れ用組成物を提供する。
【発明を実施するための形態】
【００５０】
下記に記載するように、本発明の化合物の特定の実施形態は、一連の繰り返し単位を含有する基を含む。当業者に理解されるように、一連の繰り返し単位を含有する化合物を生成するための現在知られている方法を利用することにより、典型的には、種々の数の繰り返し単位を有する分子の多分散系の集合体がもたらされる。したがって、当業者に理解されるように、繰り返し単位の数について報告する値は、そうした構造に従う分子の集合体、または分子のそのような集合体を含有する組成物を指すために使用する場合、分子の集合体が示す中央値を指すことを意図する。
【００５１】
上記に示したように、本発明は、第１の実施形態では、式（Ｉ）の構造に従う化合物を提供する。
【化４０】
2013531706.tif 000042
【００５２】
式（Ｉ）中、Ｒ1は、カルボニルまたはスルホニルのいずれかであり、スルホニルが好ましい。
【００５３】
式（Ｉ）の構造において、それぞれのＲ3は、同じであってもまたは異なっていてもよい。例えば、一方のＲ3は、ヒドロキシルまたは−Ｏ-Ｍ+から選択することができ、一方、他方のＲ3は、式（Ｉ）のＲ3に適していると下記に記載する置換基の他の群から選択される。特定の実施形態では、Ｒ3は、ヒドロキシルまたは−Ｏ-Ｍ+（式中、Ｍ+は、正の荷電をもつ対イオンである）のいずれかとすることができる。Ｍ+は、任意の適切な正の荷電をもつ対イオン、例として、アルカリ金属カチオンおよびアルカリ土類金属カチオンであってよい。
【００５４】
特定の実施形態では、Ｒ3は、式（ＩＩ）の構造に従う置換基であり得る。
【化４１】
2013531706.tif 000043
【００５５】
別の実施形態では、Ｒ3は、式（ＩＩＩ）の構造に従う置換基であり得る。
【化４２】
2013531706.tif 000044
【００５６】
式（ＩＩＩ）の構造において、Ｒ40、Ｒ41およびＲ42は、それぞれ独立に、アルキルおよびヒドロキシアルキル（すなわち、末端ヒドロキシル基を有するアルキル）からなる群から選択される。アルキルおよびヒドロキシアルキル基は、任意の適切な長さであってよく、線状および分枝のアルキル基を含むことができる。適切なアルキルおよびヒドロキシアルキル基は一般に、Ｃ1〜Ｃ25アルキル、好ましくは、Ｃ1〜Ｃ18アルキル、より好ましくは、Ｃ1〜Ｃ10アルキルを含む。好ましいと考えられる実施形態では、Ｒ40、Ｒ41およびＲ42は、ヒドロキシエチルである。
【００５７】
別の実施形態では、Ｒ3は、式（ＩＶ）の構造に従う置換基であり得る。
【化４３】
2013531706.tif 000045
【００５８】
式（ＩＶ）の構造において、Ｒ45は、アルキルである。アルキル基は、任意の適切な長さであってよく、線状および分枝のアルキル基を含む。適切なアルキル基は一般に、Ｃ1〜Ｃ25アルキル、好ましくは、Ｃ1〜Ｃ18アルキル、より好ましくは、Ｃ1〜Ｃ10アルキルを含む。好ましいと考えられる実施形態では、Ｒ45は、ｎ−プロピルである。
【００５９】
別の実施形態では、Ｒ3は、式（ＶＩ）の構造に従う置換基であり得る。
【化４４】
2013531706.tif 000046
【００６０】
式（ＶＩ）の構造において、Ｒ22は、水素、アルキル、ヒドロキシアルキル、アルキルアミン、アルキルアミド、アリールおよびヒドロキシアリールからなる群から選択される。アルキル、ヒドロキシアルキル、アルキルアミンおよびアルキルアミド基は、任意の適切な長さであってよく、線状および分枝のアルキル基を含むことができる。適切なアルキル基は、メチル、プロピル（例えば、イソプロピル）、およびブチル（例えば、ｓｅｃ−ブチルまたはｔｅｒｔ−ブチル）を含むが、それらに必ずしも限定されない。適切なヒドロキシアルキル基は、ヒドロキシメチルおよび１−ヒドロキシエチルを含むが、それらに必ずしも限定されない。適切なアリール基は、ベンジルおよび４−ヒドロキシベンジルを含むが、それらに必ずしも限定されない。詳細に下記に論じるように、式（ＶＩ）の構造を、αアミノ酸、例として、天然に存在するアミノ酸であるアルギニン、ヒスチジン、リジン、アスパラギン酸、グルタミン酸、セリン、スレオニン、アスパラギン、グルタミン、システイン、セレノシステイン、グリシン、プロリン、アラニン、イソロイシン、ロイシン、メチオニン、フェニルアラニン、トリプトファン、チロシンおよびバリンを使用して生成することができる。変数ａは、任意の０〜１００の整数（例えば、１〜５０、１〜３０、または１〜２５）であってよい。置換基中のそれぞれのＲ22は、同じであってもまたは異なっていてもよい。換言すると、置換基を、単一のαアミノ酸から調製してもよく、または置換基を、２以上のαアミノ酸の混合物から調製してもよい。式（ＶＩ）の構造において、Ｒ34は、水素またはアルキルであり得る。アルキル基は、任意の適切な長さであってよく、線状および分枝のアルキル基を含むことができる。適切なアルキル基は一般に、Ｃ1〜Ｃ25アルキル、好ましくは、Ｃ1〜Ｃ18アルキル、より好ましくは、Ｃ1〜Ｃ10アルキルを含む。
【００６１】
別の実施形態では、Ｒ3は、式（ＶＩＩ）の構造に従う置換基であり得る。
【化４５】
2013531706.tif 000047
【００６２】
式（ＶＩＩ）の構造において、Ｒ23およびＲ24は、独立に、水素、アルキル、ヒドロキシアルキル、アルキルアミン、アルキルアミド、アリールおよびヒドロキシアリールからなる群から選択される。アルキル、ヒドロキシアルキル、アルキルアミンおよびアルキルアミド基は、任意の適切な長さであってよく、線状および分枝のアルキル基を含むことができる。適切なアルキル基は、メチル、プロピル（例えば、イソプロピル）、およびブチル（例えば、ｓｅｃ−ブチルまたはｔｅｒｔ−ブチル）を含むが、それらに必ずしも限定されない。適切なヒドロキシアルキル基は、ヒドロキシメチルおよび１−ヒドロキシエチルを含むが、それらに必ずしも限定されない。適切なアリール基は、ベンジルおよび４−ヒドロキシベンジルを含むが、それらに必ずしも限定されない。詳細に下記に論じるように、式（ＶＩＩ）の構造を、ベータアミノ酸を使用して生成することができる。変数ｂは、任意の０〜１００の整数（例えば、１〜５０、１〜３０、または１〜２５）であってよい。置換基中のそれぞれのＲ23およびＲ24は、同じであってもまたは異なっていてもよい。換言すると、置換基を、単一のベータアミノ酸から調製してもよく、または置換基を、２以上のベータアミノ酸の混合物から調製してもよい。式（ＶＩＩ）の構造において、Ｒ34は、水素またはアルキルであり得る。アルキル基は、任意の適切な長さであってよく、線状および分枝のアルキル基を含むことができる。適切なアルキル基は一般に、Ｃ1〜Ｃ25アルキル、好ましくは、Ｃ1〜Ｃ18アルキル、より好ましくは、Ｃ1〜Ｃ10アルキルを含む。
【００６３】
別の実施形態では、Ｒ3は、式（Ｘ）の構造に従う置換基であり得る。
【化４６】
2013531706.tif 000048
【００６４】
式（Ｘ）の構造は、線状と分枝のポリエチレンイミンの両方を示す。したがって、Ｒ29は、水素またはアルキルアミンとすることができ、ｇは、２以上の整数（例えば、２〜１００、２〜５０、２〜３０、または２〜２５）である。適切なアルキルアミンは、エチルアミン、および複数のアミン基を含有する線状または分枝の構造を有する、より大きなアルキルアミンを含む。したがって、式（Ｘ）の構造において、置換基中のそれぞれのＲ29は、同じであってもまたは異なっていてもよい。
【００６５】
別の実施形態では、Ｒ3は、式（ＸＩＩ）の構造に従う置換基であり得る。
【化４７】
2013531706.tif 000049
【００６６】
式（ＸＩＩ）の構造において、Ｒ30は、水素またはアルキルであり得る。アルキル基は、任意の適切な長さであってよく、線状および分枝のアルキル基を含む。適切なアルキル基は一般に、Ｃ1〜Ｃ25アルキル、好ましくは、Ｃ1〜Ｃ18アルキル、より好ましくは、Ｃ1〜Ｃ10アルキルを含む。Ｒ3が、式（ＸＩＩ）の構造に従う置換基である実施形態では、得られた化合物を、構造上のヒドロキシル基のうちの１以上を、別の置換基、例として、Ｒ6およびＲ8について下記に記載する置換基のうちのいずれかで置換するように、さらに反応させることができる。
【００６７】
他の実施形態では、Ｒ3は、構造−ＯＲ6、−ＮＨＲ6、および−ＮＲ6Ｒ6（これは、アミン窒素に結合している２つのＲ6基を有する三級アミン基を示す）を有する置換基からなる群から選択される置換基であり得る。Ｒ6基は、−Ｒ7−Ｏ−Ｒ8−Ｒ9および−Ｒ8−Ｒ9からなる群から選択される。Ｒ7は、アルキルまたはアリールであり得る。Ｒ7のアルキル基は、任意の適切な長さであってよく、線状および分枝のアルキル基を含む。Ｒ7の適切なアルキル基は一般に、Ｃ1〜Ｃ25アルキル、好ましくは、Ｃ1〜Ｃ18アルキル、より好ましくは、Ｃ1〜Ｃ10アルキルを含む。Ｒ7のアリール基は、置換アリールと無置換アリール基の両方を含めた、任意の適切なアリール基であってよい。１つの好ましいと考えられる実施形態では、Ｒ7は、パラ位（すなわち、Ｒ3の窒素原子への結合に関してパラ位）においてスルホンアミド基で置換されているフェニル基とすることができ、Ｒ8は、スルホンアミド基に結合している。基−Ｒ7−Ｏ−Ｒ8−Ｒ9および−Ｒ8−Ｒ9については、Ｒ9は、水素またはアルキルであり得る。アルキル基は、任意の適切な長さであってよく、線状および分枝のアルキル基を含むことができる。適切なアルキル基は一般に、Ｃ1〜Ｃ25アルキル、好ましくは、Ｃ1〜Ｃ18アルキル、より好ましくは、Ｃ1〜Ｃ10アルキルを含む。基−Ｒ7−Ｏ−Ｒ8−Ｒ9および−Ｒ8−Ｒ9については、Ｒ9は、好ましくは、水素である。
【００６８】
基−Ｒ7−Ｏ−Ｒ8−Ｒ9および−Ｒ8−Ｒ9については、Ｒ8は、特定の群から選択される二価の置換基であり得る。一実施形態では、Ｒ8は、式（Ｖ）の構造に従う繰り返し単位から独立に選択される２以上の二価の繰り返し単位を含む二価のオリゴマー置換基であり得る。
【化４８】
2013531706.tif 000050
【００６９】
式（Ｖ）の構造において、Ｒ20およびＲ21は、独立に、水素、アルキル、ヒドロキシアルキル、アリール、アルコキシアルキルおよびアリールオキシアルキルからなる群から選択される。Ｒ20およびＲ21のアルキル基は、任意の適切な長さであってよく、線状および分枝のアルキル基を含むことができる。適切なアルキル基は一般に、Ｃ1〜Ｃ25アルキル、好ましくは、Ｃ1〜Ｃ18アルキル、より好ましくは、Ｃ1〜Ｃ10アルキル（例えば、メチルおよびｎ−プロピル）を含む。Ｒ20およびＲ21のヒドロキシアルキル基は、任意の適切な長さのアルキル置換基を有し、線状または分枝の構造のいずれかを有する、任意の適切なヒドロキシアルキル基であってよい。Ｒ20およびＲ21の適切なヒドロキシアルキル基は、これに限定されないが、ヒドロキシメチルを含む。Ｒ20およびＲ21のアリール基は、任意の適切なアリール基であってよく、フェニル基が潜在的に好ましい。式（Ｖ）の構造に従う繰り返し単位を含む二価のオリゴマー置換基は、任意の適切な数の繰り返し単位を含んでよい。例えば、オリゴマー置換基は、２〜１００の繰り返し単位（例えば、２〜５０、２〜３０または２〜２５）を含むことができる。そのような二価のオリゴマー置換基においては、繰り返し単位は、全て同じであってもよく（すなわち、Ｒ20およびＲ21が、置換基中の繰り返し単位の全てについて同じであってよい）、または置換基を、式（Ｖ）の構造に従う２以上の異なる繰り返し単位から構成してもよい。式（Ｖ）の構造に従う２以上の異なる繰り返し単位を含む二価のオリゴマー置換基においては、異なる繰り返し単位を、ブロック配置（すなわち、複数の同じ繰り返し単位を、置換基中で相互に隣接させて配列させる配置）またはランダム配置（すなわち、繰り返し単位を、置換基内でランダムに配置させる配置）のいずれかで配列させることができる。
【００７０】
特定の好ましいと考えられる実施形態では、Ｒ8は、エチレンオキシド、プロピレンオキシド、ブチレンオキシドおよびそれらの組合せからなる群から選択される繰り返し単位を含む二価のオリゴマー置換基であり得る。そのような実施形態では、置換基を、これらの繰り返し単位のうちの１つのみから構成してもよく、または置換基を、これらの繰り返し単位の任意の適切な組合せから構成してもよい。上記に示したように、２以上の異なる繰り返し単位の組合せを含む二価の置換基においては、繰り返し単位を、ブロック配置またはランダム配置のいずれかで配列させることができる。特定の好ましいと考えられる実施形態では、Ｒ8は、式（ＸＩＩＩ）〜（ＸＶ）のうちの１つの構造に従う二価の置換基であり得る。
【化４９】
2013531706.tif 000051
【００７１】
式（ＸＩＩＩ）〜（ＸＶ）の構造のそれぞれにおいて、ｘ、ｙおよびｚは、０〜１００の整数であり、ｘ、ｙおよびｚの和は、２以上（例えば、２〜１００、２〜５０、２〜３０、または２〜２５）である。
【００７２】
特定の好ましいと考えられる実施形態では、Ｒ8は、グリシドールまたはグリシジルエーテルから誘導した１以上の繰り返し単位を含む二価のオリゴマー置換基であり得る。適切なグリシジルエーテルは、メチルグリシジルエーテル、イソブチルグリシジルエーテル、イソプロピルグリシジルエーテル、ｔｅｒｔ−ブチルグリシジルエーテル、２−エチルヘキシルグリシジルエーテル、ヘキサデシルグリシジルエーテルを含むが、それらに必ずしも限定されない。
【００７３】
別の実施形態では、Ｒ8は、式（ＶＩＩＩ）の構造に従う二価の置換基であり得る。
【化５０】
2013531706.tif 000052
【００７４】
式（ＶＩＩＩ）の構造において、Ｒ25およびＲ26は、独立に、水素、ヒドロキシル、およびアルキル（例えば、Ｃ1〜Ｃ10アルキル）からなる群から選択され、ｃは、１〜１２の整数であり、ｄは、１〜１００（例えば、２〜１００、１〜５０、２〜５０、１〜３０、２〜３０、１〜２５、または２〜２５）の整数である。特定の好ましいと考えられる実施形態では、Ｒ25とＲ26が両方とも、水素であり、ｃは、５である。
【００７５】
別の実施形態では、Ｒ8は、式（ＩＸ）の構造に従う二価の置換基であり得る。
【化５１】
2013531706.tif 000053
【００７６】
式（ＩＸ）の構造において、Ｒ27およびＲ28は、独立に、水素、ヒドロキシル、およびアルキル（例えば、Ｃ1〜Ｃ10アルキル）からなる群から選択され、ｅは、１〜１２の整数であり、ｆは、１〜１００（例えば、２〜１００、１〜５０、２〜５０、１〜３０、２〜３０、１〜２５、または２〜２５）の整数である。特定の好ましいと考えられる実施形態では、Ｒ25とＲ26が両方とも、水素であり、ｅは、５である。
【００７７】
別の実施形態では、Ｒ8は、式（ＸＩ）の構造に従う二価の置換基であり得る。
【化５２】
2013531706.tif 000054
【００７８】
式（ＸＩ）の構造において、Ｒ31、Ｒ32およびＲ33は、独立に、アルキルおよびヒドロキシアルキルから選択される。Ｒ31、Ｒ32およびＲ33に適しているアルキルおよびヒドロキシアルキル基は、任意の適切な長さであってよく、線状および分枝のアルキル基を含むことができる。適切なアルキルおよびヒドロキシアルキル基は一般に、Ｃ1〜Ｃ25アルキル、好ましくは、Ｃ1〜Ｃ18アルキル、より好ましくは、Ｃ1〜Ｃ10アルキルを含む。好ましいと考えられる実施形態では、Ｒ31、Ｒ32およびＲ33は、それぞれ、メチルである。式（ＸＩ）の構造において、ｈは、１〜１００（例えば、２〜１００、１〜５０、２〜５０、１〜３０、２〜３０、１〜２５、または２〜２５）の整数である。式（ＸＩ）の構造において、アンモニウム基上の正の電荷を、任意の適切な負に荷電している対イオン、例として、ハロゲン化物イオン（例えば、塩素イオン）により釣り合わせることができる。
【００７９】
特定の他の実施形態では、Ｒ8は、Ｒ8に適していると上記で記載した二価の置換基のうちの２以上を含む二価の置換基であり得る。そのような実施形態では、２以上の置換基の組合せを、ブロック配置またはランダム配置のいずれかで配置させることができる。例えば、１つの好ましいと考えられる実施形態では、Ｒ8は、式（Ｖ）の構造に従う２以上の繰り返し単位を含む二価の構成要素、および式（ＶＩＩＩ）の構造に従う別の二価の構成要素であり得る。別の実施形態では、Ｒ8は、２以上の、式（ＸＩ）の構造に従う二価の構成要素でキャップされている、式（Ｖ）の構造に従う繰り返し単位を含む二価の構成要素とすることができる。
【００８０】
特定の実施形態では、Ｒ4とＲ5は、独立に、水素、アルコキシ、アミノ、アルキルアミノ、アリールアミノ、ヒドロキシアルキルアミノ、モルホリノ、アニリン、アルキルアニリノ、ピペラジニルおよびピペリジニルからなる群から選択され得る。
【００８１】
特定の他の実施形態では、Ｒ4およびＲ5は、同じことが上記に記載されているように、独立に、式（ＩＩ）、式（ＩＩＩ）、式（ＩＶ）、式（ＶＩ）、式（ＶＩＩ）、式（Ｘ）および式（ＸＩＩ）の構造に従う置換基からなる群から選択され得る。
【００８２】
特定の他の実施形態では、Ｒ4およびＲ5は、独立に、−ＯＲ10、−ＮＨＲ10、および−ＮＲ10Ｒ10（これは、アミン窒素に結合している２つのＲ10基を有する三級アミン基を示す）からなる群から選択され得る。Ｒ10基は、−Ｒ11−Ｏ−Ｒ12−Ｒ13および−Ｒ12−Ｒ13からなる群から選択される。Ｒ11は、アルキルまたはアリールであり得る。Ｒ11のアルキル基は、任意の適切な長さであってよく、線状および分枝のアルキル基を含む。Ｒ11の適切なアルキル基は一般に、Ｃ1〜Ｃ25アルキル、好ましくは、Ｃ1〜Ｃ18アルキル、より好ましくは、Ｃ1〜Ｃ10アルキルを含む。Ｒ11のアリール基は、置換アリールと無置換アリール基の両方を含めた、任意の適切なアリール基であってよい。１つの好ましいと考えられる実施形態では、Ｒ11は、パラ位（すなわち、Ｒ4またはＲ5の窒素原子への結合に関してパラ位）においてスルホンアミド基で置換されているフェニル基とすることができ、Ｒ12は、スルホンアミド基に結合している。基−Ｒ11−Ｏ−Ｒ12−Ｒ13および−Ｒ12−Ｒ13については、Ｒ13は、水素またはアルキルであり得る。アルキル基は、任意の適切な長さであってよく、線状および分枝のアルキル基を含むことができる。適切なアルキル基は一般に、Ｃ1〜Ｃ25アルキル、好ましくは、Ｃ1〜Ｃ18アルキル、より好ましくは、Ｃ1〜Ｃ10アルキルを含む。基−Ｒ11−Ｏ−Ｒ12−Ｒ13および−Ｒ12−Ｒ13については、Ｒ13は、好ましくは、水素である。
【００８３】
基−Ｒ11−Ｏ−Ｒ12−Ｒ13および−Ｒ12−Ｒ13については、Ｒ12は、二価の置換基であり、同じことが上記に記載されているが、式（Ｖ）、式（ＶＩＩＩ）、式（ＩＸ）、式（ＸＩ）の構造に従う置換基、およびそれらの組合せからなる群から選択され得る。
【００８４】
別の一連の実施形態では、本発明は、それに結合している２つのベンゾトリアゾール基を有するジアミノスチルベン系の蛍光増白剤を提供する。そのような実施形態では、化合物は、式（ＸＸ）の構造に従う。
【化５３】
2013531706.tif 000055
【００８５】
そのような実施形態では、式（ＸＸ）のＲ1およびＲ3は、式（Ｉ）の構造に従う化合物のＲ1およびＲ3基に適していると上記に記載した置換基のうちのいずれかとすることができ、式（Ｉ）の場合と同様に、式（ＸＸ）中の２つのＲ3は、同じであってもまたは異なっていてもよい。Ｒ50は、−Ｒ51−Ｒ52または−ＯＲ10である。Ｒ51は、独立に、Ｒ1について上記に列挙した置換基から選択され、Ｒ52は、独立に、Ｒ3について上記に列挙した置換基から選択される。換言すると、Ｒ51およびＲ52はそれぞれ、Ｒ1およびＲ3と同じ群から選択されるが、必ずしも式（ＸＸ）のＲ1およびＲ3と同じ置換基であるとは限らない。式（ＸＸ）のＲ10は、式（Ｉ）の構造に従う化合物のＲ10基に適していると上記に記載した置換基のうちのいずれかであり得る。
【００８６】
本発明による化合物を、任意の適切なプロセスを使用して合成することができる。例えば、ヒドロキシルまたは−Ｏ-Ｍ+以外の置換基が、式（Ｉ）のＲ3に存在する化合物を、最初に、対応するスルホン酸置換ジアミノスチルベン誘導体またはカルボン酸置換ジアミノスチルベンを反応させて、対応するスルホニルクロリドまたは酸クロリドを生成することによって調製することができる。この反応は、当技術分野で知られている技法、および任意の適切な試薬、例として、塩化チオニル、三塩化リン、五塩化リンまたは塩化オキサリルを使用して実施することができる。ジアミノスチルベンの対応するスルホニルクロリドまたは酸クロリドの誘導体を生成したら、次いで、誘導体を適切なアミンまたはアルコールと反応させて、所望の置換基を、ジアミノスチルベン上のスルホニルまたはカルボニル基に結合させることができる。添加するアミンまたはアルコールの量を制限し、その結果、スルホニルクロリドまたは酸クロリド基のうちの１つのみが反応して、置換基をジアミノスチルベン上のスルホニルまたはカルボニル基に結合させている化合物を得ることができる。知られているジアミノスチルベン化合物を用いて開始する上記に記載した反応を一般的に描写する反応スキームを、下記に記載する：
【化５４】
2013531706.tif 000056
【００８７】
特定の実施形態では、上記に記載した反応において使用するアミンまたはアルコール化合物は、多官能性アミン（例えば、２以上のアミン基を有するアミン）、または多官能性アルコール（例えば、２以上のヒドロキシル基を有するアルコール）であり得る。そのような多官能性化合物を使用する場合、化合物は、上記に記載したように、ジアミノスチルベン化合物のうちの２以上の上に存在するスルホニルクロリドまたは酸クロリド基と反応することができ、それによって、ジスチリル−ビフェニル部分のうちの２以上が、この多官能性アミンまたはアルコール化合物から形成された置換基により連結されている化合物が生成すると考えられている。そのような反応において使用するのに適している多官能性アミンおよびアルコール化合物は、ジアミノスチルベン化合物と上記に記載したように反応する任意の多官能性アミンまたはアルコール化合物であってよい。実際に、上記に記載した適切な置換基のうちのいくつかは、スルホニルクロリドまたは酸クロリドと反応することができる２以上の基を含有し、したがって、そのような置換基は、２以上のジアミノスチルベン部分を含有する化合物を生成するのに適していると考えられている。
【００８８】
別のプロセスでは、式（Ｉ）に従う化合物を、１当量の４，４’−ジアミノスチルベン−２，２’−ジスルホン酸（または４，４’−ジアミノスチルベン−２，２’−ジカルボン酸）を、２当量の塩化シアヌールと反応させて、ジアミノスチルベンジスルホン酸−ビス−ジクロロトリアジン付加物を生成することによって合成することができる。次いで、得られた付加物を適切なアミンまたはアルコールと反応させて、所望の化合物を得ることができる。さらに、アミンまたはアルコールの反応の間に、反応混合物のｐＨおよび温度を制御することによって、反応を、２つの異なるアミンまたはアルコールの、それぞれのトリアジン環への付加が可能となるように制御することもできる。換言すると、反応を、Ｒ4とＲ5とが異なるように制御することができる。そのような反応を一般的に描写する反応スキームを、下記に記載する：
【化５５】
2013531706.tif 000057
【００８９】
この反応スキームでは、４，４’−ジアミノスチルベン−２，２’−ジスルホン酸を、４，４’−ジアミノスチルベン−２，２’−ジスルホネート塩、４，４’−ジアミノスチルベン−２，２’−ジカルボン酸、または４，４’−ジアミノスチルベン−２，２’−ジカルボキシレート塩で置きかえることができる。
【００９０】
より具体的には、上記に示した反応を、この段落の記載に従って実施することができる。２当量の塩化シアヌールを、水溶性の有機溶媒、好ましくは、アセトン中に溶解させ、冷水（０〜５℃）に効率的に撹拌しながら添加して、一様な分散液を形成する。炭酸ナトリウム水溶液中に溶解させた１当量のジアミノスチルベンジスルホン酸を、０〜５℃で添加し、混合物を、０〜５℃で２時間撹拌して、ジアミノスチルベンジスルホン酸−ビス−ジクロロトリアジン付加物を形成する。次に、２当量のアミン化合物（例えば、芳香族アミンまたは脂肪族アミン）を、混合物に添加し、ｐＨを、およそ７に、炭酸ナトリウムまたは水酸化ナトリウムを用いて調節する。混合物を、ジアミノスチルベンジスルホン酸−ビス−（モノクロロ−モノアミノトリアジン）付加物の形成が形成されるまで、室温で３時間撹拌する。次いで、使用した最初のアミンとは同じであってもまたは異なっていてもよい、追加の２当量のアミン（例えば、芳香族アミンまたは脂肪族アミン）を、次いで混合物に添加し、ｐＨを、９〜１０に水酸化ナトリウムを用いて調節する。混合物を、ジアミノスチルベンジスルホン酸−ビス−（アミノトリアジン）付加物が形成されるまで、５０〜８０℃で撹拌する。得られた生成物を、ｐＨを低下させ、反応混合物から分離する生成物を単離し、生成物を乾燥するか、または生成物を水中に再溶解させて、水溶液を形成することによって精製することができる。
【００９１】
特定の実施形態では、２つの先行する段落に記載した反応において使用するアミンまたはアルコール化合物は、多官能性アミン（例えば、２以上のアミン基を有するアミン）、または多官能性アルコール（例えば、２以上のヒドロキシル基を有するアルコール）であり得る。そのような多官能性化合物を使用する場合、化合物は、上記に記載したように、ジアミノスチルベン化合物のうちの２以上の上に存在するトリアジン基と反応することができ、それによって、ジアミノスチルベン部分のうちの２以上が、この多官能性アミンまたはアルコール化合物から形成された置換基により連結されている化合物を生成すると考えられている。そのような反応において使用するのに適している多官能性アミンおよびアルコール化合物は、ジアミノスチルベン化合物と上記に記載したように反応する任意の多官能性アミンまたはアルコール化合物であってよい。実際に、上記に記載した適切な置換基のうちのいくつかは、トリアジン基と反応することができる２以上の基を含有し、したがって、そのような置換基は、２以上のジアミノスチルベン部分を含有する化合物を生成するのに適していると考えられている。
【００９２】
別のプロセスでは、式（ＸＸ）の構造に従う化合物を、最初に、１当量の４，４’−ジアミノスチルベン−２，２’−ジスルホン酸（または４，４’−ジアミノスチルベン−２，２’−ジカルボン酸）を提供し、提供した酸を亜硝酸ナトリウム（およそ２当量）と反応させて、対応するジアゾニウム塩を生成することによって合成することができる。次いで、このジアゾニウム塩を、アニリン誘導体（およそ２当量）の冷却水溶液に添加し、撹拌して、対応するビス−ジアゾ生成物を得る。次いで、ビス−ジアゾ生成物を、適切な酸化剤、例として、次亜塩素酸ナトリウムを使用して酸化して、対応する４，４’−ビス−（５−Ｎ，Ｎ−置換ベンゾトリアゾール−２−イル）スチルベン−２，２’−ジスルホン酸生成物を得る。このプロセスを描写する一般的な反応スキームを、下記に記載する：
【化５６】
2013531706.tif 000058
【００９３】
そのようなプロセスの１つの具体例では、１当量の４，４’−ジアミノスチルベン−２，２’−ジスルホン酸を、十分な水に添加して、およそ５％の溶液を得る。濃塩酸を添加して、１〜２のｐＨを得、混合物を、０〜５℃に冷却する。亜硝酸ナトリウム（２．０５当量）の水溶液を、数分かけて添加し、混合物を２時間撹拌する。反応により、ジアゾニウム塩が生成される。ジアゾニウム塩のこの溶液を、２当量の４−Ｎ，Ｎ−ジヒドロキシエチルスルホンアミドアニリンの冷却水溶液に添加し、数時間撹拌して、ビス−ジアゾ生成物を得る。次いで、この混合物を、７０〜８０℃に加熱し、５．２当量の次亜塩素酸ナトリウムを用いて酸化して、４，４’−ビス−（５−Ｎ，Ｎ−ジヒドロキシエチルスルホンアミドベンゾトリアゾール−２−イル）スチルベン−２，２’−ジスルホン酸を得る。
【００９４】
上記に示したように、また、本発明は、上記記載の蛍光増白剤を含有する洗濯用組成物も提供する。本明細書で使用する場合、用語「洗濯用組成物」は、別段の記載がない限り、顆粒、粉末、液体、ゲル、ペースト、バー形態および／またはフレークタイプの洗浄剤および／または織物処理組成物を含む。本明細書で使用する場合、用語「織物処理組成物」は、別段の記載がない限り、織物軟化組成物、織物増強組成物、織物フレッシュニング組成物、およびそれらの組合せを含む。そのような組成物は、濯ぎ添加型組成物であってよいが、そうである必要はない。
【００９５】
本明細書に記載する蛍光増白剤は、これらに限定されないが、洗濯洗剤および織物手入れ用組成物を含めた、洗濯用組成物中に組み込むことができる。そのような組成物は、前記蛍光増白剤および洗濯用成分のうちの１以上を含む。洗濯洗剤を含めた、洗濯用組成物は、ゲル形態を含めた、固体または液体の形態をとることができる。洗濯洗剤組成物は、界面活性剤を、所望の清浄化特性をもたらすのに十分な量で含む。
【００９６】
蛍光増白剤は、洗濯洗剤組成物中に、組成物の約０．０００１重量％〜約１０重量％、より好ましくは、組成物の約０．０００１重量％〜約５重量％、さらにより好ましくは、組成物の約０．０００１重量％〜約１重量％の量で存在することができる。
【００９７】
洗濯洗剤組成物は、界面活性剤を、所望の清浄化特性をもたらすのに十分な量で含む。一実施形態では、洗濯洗剤組成物は、重量に関して、約５％〜約９０％の界面活性剤、より具体的には、約５％〜約７０％の界面活性剤、さらにより具体的には、約５％〜約４０％を含む。界面活性剤は、アニオン性、非イオン性、カチオン性、双性イオン性および／または両性の界面活性剤を含むことができる。より特定の実施形態では、洗剤組成物は、アニオン性界面活性剤、非イオン性界面活性剤、またはそれらの混合物を含む。
【００９８】
本明細書において有用である適切なアニオン性界面活性剤は、典型的には液体洗剤製品中で使用される、従来のアニオン性界面活性剤のタイプのうちのいずれかを含むことができる。これらは、アルキルベンゼンスルホン酸およびそれらの塩、ならびにアルコキシル化または非アルコキシル化アルキルサルフェート物質を含む。
【００９９】
例示的なアニオン性界面活性剤は、Ｃ10〜Ｃ16アルキルベンゼンスルホン酸、好ましくは、Ｃ11〜Ｃ14アルキルベンゼンスルホン酸のアルカリ金属塩である。好ましくは、アルキル基は線状であり、そのような線状のアルキルベンゼンスルホネートは、「ＬＡＳ」として知られている。アルキルベンゼンスルホネート、特に、ＬＡＳは、当技術分野でよく知られている。そのような界面活性剤およびそれらの調製が、米国特許第２，２２０，０９９号および第２，４７７，３８３号に記載されている。線状の、直鎖アルキルベンゼンスルホネートナトリウムおよびカリウムが、とりわけ好ましく、アルキル基中の炭素原子の平均数が、約１１〜１４である。Ｃ11〜Ｃ14、例えば、Ｃ12のＬＡＳナトリウムが、そのような界面活性剤の具体例である。
【０１００】
アニオン性界面活性剤の別の例示的なタイプは、エトキシル化アルキルサルフェート界面活性剤を含む。そのような物質は、アルキルエーテルサルフェートまたはアルキルポリエトキシレートサルフェートとしてもまた知られており、式：Ｒ’−Ｏ−（Ｃ2Ｈ4Ｏ）n−ＳＯ3Ｍ（式中、Ｒ’は、Ｃ8〜Ｃ20アルキル基であり、ｎは、約１〜２０であり、Ｍは、塩形成カチオンである）に相当するものである。特定の実施形態では、Ｒ’は、Ｃ10〜Ｃ18アルキルであり、ｎは、約１〜１５であり、Ｍは、ナトリウム、カリウム、アンモニウム、アルキルアンモニウムまたはアルカノールアンモニウムである。より特定の実施形態では、Ｒ’は、Ｃ12〜Ｃ16アルキルであり、ｎは、約１〜６であり、Ｍは、ナトリウムである。
【０１０１】
アルキルエーテルサルフェートは一般に、種々のＲ’鎖の長さおよび種々の程度のエトキシル化を含む混合物の形態で使用する。頻繁にまた、そのような混合物は必然的に、いくつかの非エトキシル化アルキルサルフェート物質、すなわち、上記のエトキシル化アルキルサルフェートの式（式中、ｎ＝０）の界面活性剤も含有する。また、非エトキシル化アルキルサルフェートは、本発明の組成物に別個に添加し、存在してよい任意のアニオン性界面活性剤構成成分として、またはそれにおいて使用することもできる。非アルコキシル化、例えば、非エトキシル化されているアルキルエーテルサルフェート界面活性剤の具体例は、高級Ｃ8〜Ｃ20脂肪アルコールの硫酸化により生成するものである。従来の主要なアルキルサルフェート界面活性剤は、一般式：ＲＯＳＯ3-Ｍ+（式中、Ｒは、典型的には線状Ｃ8〜Ｃ20ヒドロカルビル基であるが、直鎖であってもまたは分枝鎖であってもよく、Ｍは、水可溶性カチオンである）を有する。特定の実施形態では、Ｒは、Ｃ10〜Ｃ15アルキルであり、Ｍは、アルカリ金属であり、より具体的には、Ｒは、Ｃ12〜Ｃ14であり、Ｍは、ナトリウムである。
【０１０２】
本明細書において有用なアニオン性界面活性剤の特定の非限定的な例として、ａ）Ｃ11〜Ｃ18アルキルベンゼンスルホネート（ＬＡＳ）；ｂ）Ｃ10〜Ｃ20、一級の、分枝鎖およびランダムアルキルサルフェート（ＡＳ）；ｃ）式（Ｉ）および（ＩＩ）（式中、式（Ｉ）および（ＩＩ）中のＭは、水素または電荷的中性をもたらすカチオンであり、全てのＭ単位は、界面活性剤と結合するにしろ、補助成分と結合するにしろ、当業者により単離される形態、または化合物を使用する系の相対的ｐＨに応じて、水素原子またはカチオンのいずれかであってよく、好ましいカチオンの非限定的な例として、ナトリウム、カリウム、アンモニウムおよびそれらの混合物が挙げられ、ｘは、少なくとも、約７、好ましくは、少なくとも約９の整数であり、ｙは、少なくとも８、好ましくは、少なくとも約９の整数である）を有するＣ10〜Ｃ18、二級の、（２，３）アルキルサルフェート；ｄ）Ｃ10〜Ｃ18アルキルアルコキシサルフェート（ＡＥxＳ：alkyl alkoxy sulfate）（式中、好ましくは、ｘは、１〜３０である）；ｅ）Ｃ10〜Ｃ18アルキルアルコキシカルボキシレート、好ましくは、１〜５のエトキシ単位を含むもの；ｆ）米国特許第６，０２０，３０３号および米国特許第６，０６０，４４３号に論じられている中鎖、分枝アルキルサルフェート；ｇ）米国特許第６，００８，１８１号および米国特許第６，０２０，３０３号に論じられている中鎖、分枝アルキルアルコキシサルフェート；ｈ）ＷＯ９９／０５２４３、ＷＯ９９／０５２４２、ＷＯ９９／０５２４４、ＷＯ９９／０５０８２、ＷＯ９９／０５０８４、ＷＯ９９／０５２４１、ＷＯ９９／０７６５６、ＷＯ００／２３５４９およびＷＯ００／２３５４８に論じられている改変アルキルベンゼンスルホネート（ＭＬＡＳ：modified alkylbenzene sulfonate）；ｉ）メチルエステルスルホネート（ＭＥＳ）；ならびにｊ）α−オレフィンスルホネート（ＡＯＳ）が挙げられる。
【０１０３】
本明細書において有用である適切な非イオン性界面活性剤は、典型的には液体洗剤製品中で使用される、従来の非イオン性界面活性剤のタイプのうちのいずれかを含むことができる。これらは、アルコキシル化脂肪アルコールおよびアミンオキシド界面活性剤を含む。通常、液体である非イオン性界面活性剤が、本明細書の液体洗剤製品中で使用するのに好ましい。
【０１０４】
本明細書で使用するのに適切な非イオン性界面活性剤は、アルコールアルコキシレート非イオン性界面活性剤を含む。アルコールアルコキシレートは、一般式：Ｒ1（ＣmＨ2mＯ）nＯＨ（式中、Ｒ1は、Ｃ8〜Ｃ16アルキル基であり、ｍは、２〜４であり、ｎは、約２〜１２の範囲に及ぶ）に相当する物質である。好ましくは、Ｒ1は、アルキル基であり、このアルキル基は、一級であってもまたは二級であってもよく、約９〜１５の炭素原子、より好ましくは、約１０〜１４の炭素原子を含む。一実施形態では、また、アルコキシル化脂肪アルコールは、１分子当たり約２〜１２のエチレンオキシド部分、より好ましくは、１分子当たり約３〜１０のエチレンオキシド部分を含有するエトキシル化物質でもある。
【０１０５】
本明細書の液体洗剤組成物中で有用なアルコキシル化脂肪アルコール物質は頻繁に、約３〜１７の範囲に及ぶ親水性親油性バランス（ＨＬＢ）を有する。より好ましくは、この物質のＨＬＢは、約６〜１５、最も好ましくは、約８〜１５の範囲に及ぶ。アルコキシル化脂肪アルコール非イオン性界面活性剤は、Ｓｈｅｌｌ  Ｃｈｅｍｉｃａｌ  Ｃｏｍｐａｎｙにより、商品名ＮｅｏｄｏｌおよびＤｏｂａｎｏｌの下で販売されている。
【０１０６】
本明細書において有用な非イオン性界面活性剤の別の適切なタイプは、アミンオキシド界面活性剤を含む。アミンオキシドは、当技術分野ではしばしば、「半極性の」非イオン性物質と呼ばれる物質である。アミンオキシドは、式：Ｒ（ＥＯ）x（ＰＯ）y（ＢＯ）zＮ（Ｏ）（ＣＨ2Ｒ’）2?ｑＨ２Ｏを有する。この式中、Ｒは、比較的長鎖のヒドロカルビル部分（この部分は、飽和または不飽和であっても、線状または分枝であってもよく、８〜２０、好ましくは、１０〜１６の炭素原子を含有することができる）であり、より好ましくは、Ｃ12〜Ｃ16一級アルキルである。Ｒ’は、短鎖部分であり、好ましくは、水素、メチルおよび−ＣＨ2ＯＨから選択される。ｘ＋ｙ＋ｚが、０とは異なる場合、ＥＯは、エチレンオキシであり、ＰＯは、プロピレンネオキシ（propyleneneoxy）であり、ＢＯは、ブチレンオキシである。アミンオキシド界面活性剤は、Ｃ12〜Ｃ14アルキルジメチルアミンオキシドにより示される。
【０１０７】
非イオン性界面活性剤の非限定的な例として、ａ）Ｃ12〜Ｃ18アルキルエトキシレート、例として、ＮＥＯＤＯＬ（登録商標）非イオン性界面活性剤、Ｓｈｅｌｌ製；ｂ）Ｃ6〜Ｃ12アルキルフェノールアルコキシレート（式中、アルコキシレート単位は、エチレンオキシおよびプロピレンオキシ単位の混合物である）；ｃ）Ｃ12〜Ｃ18アルコールおよびＣ6〜Ｃ12アルキルフェノールの、エチレンオキシド／プロピレンオキシドブロックポリマーとの縮合物、例として、プルロニック（登録商標）、ＢＡＳＦ製；ｄ）米国特許第６，１５０，３２２号に論じられているＣ14〜Ｃ22中鎖、分枝アルコール、ＢＡ；ｅ）米国特許第６，１５３，５７７号、米国特許第６，０２０，３０３号および米国特許第６，０９３，８５６号に論じられているＣ14〜Ｃ22中鎖、分枝アルキルアルコキシレート、ＢＡＥx：branched alkyl alkoxylate（式中、ｘは、１〜３０である）；ｆ）１９８６年１月２６日にＬｌｅｎａｄｏに対して発行の米国特許第４，５６５，６４７号に論じられているアルキルポリサッカライド、具体的には、米国特許第４，４８３，７８０号および米国特許第４，４８３，７７９号に論じられているアルキルポリグリコシド；ｇ）米国特許第５，３３２，５２８号、ＷＯ９２／０６１６２、ＷＯ９３／１９１４６、ＷＯ９３／１９０３８およびＷＯ９４／０９０９９に論じられているポリヒドロキシ脂肪酸アミド；ならびにｈ）米国特許第６，４８２，９９４号およびＷＯ０１／４２４０８に論じられているエーテルでキャップされたポリ（オキシアルキレート化）アルコール界面活性剤が挙げられる。
【０１０８】
本明細書の洗濯洗剤組成物中、洗浄力がある界面活性剤構成成分は、アニオン性と非イオン性とを組み合わせた界面活性剤物質を含むことができる。この場合、アニオン性対非イオン性の重量比は、典型的には、１０：９０〜９０：１０、より典型的には、３０：７０〜７０：３０の範囲に及ぶ。
【０１０９】
カチオン性界面活性剤は、当技術分野でよく知られており、これらの非限定的な例として、四級アンモニウム界面活性剤が挙げられ、これらは、最大２６炭素原子を有することができる。追加の例として、ａ）米国特許第６，１３６，７６９号に論じられているアルコキシレート四級アンモニウム（ＡＱＡ）界面活性剤；ｂ）米国特許第６，００４，９２２号に論じられているジメチルヒドロキシエチル四級アンモニウム；ｃ）ＷＯ９８／３５００２、ＷＯ９８／３５００３、ＷＯ９８／３５００４、ＷＯ９８／３５００５およびＷＯ９８／３５００６に論じられているポリアミンカチオン性界面活性剤；ｄ）米国特許第４，２２８，０４２号、第４，２３９，６６０号、第４，２６０，５２９号および米国特許第６，０２２，８４４号に論じられているカチオン性エステル界面活性剤；ならびにｅ）米国特許第６，２２１，８２５号およびＷＯ００／４７７０８に論じられているアミノ界面活性剤、具体的には、アミドプロピルジメチルアミン（ＡＰＡ）が挙げられる。
【０１１０】
双性イオン性界面活性剤の非限定的な例として、二級および三級アミンの誘導体、複素環二級および三級アミンの誘導体、または四級アンモニウムの誘導体、四級ホスホニウムもしくは三級スルホニウム化合物が挙げられる。双性イオン性界面活性剤、すなわち、アルキルジメチルベタインおよびココジメチルアミドプロピルベタイン、Ｃ8〜Ｃ18（好ましくは、Ｃ12〜Ｃ18）アミンオキシド、ならびにスルホおよびヒドロキシベタイン、例として、Ｎ−アルキル−Ｎ，Ｎ−ジメチルアミノ−１−プロパンスルホネート（アルキル基は、Ｃ8〜Ｃ18、好ましくは、Ｃ10〜Ｃ14であり得る）を含めた、ベタインの例については、１９７５年１２月３０日にＬａｕｇｈｌｉｎらに対して発行の米国特許第３，９２９，６７８号、１９列、３８行〜２２列、４８行を参照されたい。
【０１１１】
両性電解質性界面活性剤の非限定的な例として、二級もしくは三級アミンの脂肪族誘導体、または複素環二級および三級アミンの脂肪族誘導体が挙げられ、脂肪族ラジカルは、直鎖または分枝鎖であってよい。脂肪族置換基のうちの１つは、少なくとも約８の炭素原子、典型的には、約８〜約１８の炭素原子を含み、少なくとも１つは、アニオン性の水可溶性基、例えば、カルボキシ、スルホネート、サルフェートを含む。両性電解質性界面活性剤の例については、１９７５年１２月３０日にＬａｕｇｈｌｉｎらに対して発行の米国特許第３，９２９，６７８号、１９列、１８〜３５行を参照されたい。
【０１１２】
示すように、組成物は、固体の形態、すなわち、錠剤、またはこれらに限定されないが、粒子、フレーク等を含めた、粒子状物質形態のいずれかをとってもよく、あるいは組成物は、液体の形態をとってもよい。液体洗剤組成物は、水性の非表面活性な液体の担体を含む。一般に、本明細書の組成物中で利用する水性の非表面活性な液体の担体の量は、組成物の構成成分を可溶化する、懸濁させる、または分散させるのに有効である。例えば、組成物は、重量に関して、約５％〜約９０％、より具体的には、約１０％〜約７０％、さらにより具体的には、約２０％〜約７０％の水性の非表面活性な液体の担体を含むことができる。
【０１１３】
水性の非表面活性な液体の担体の最も費用効果があるタイプは当然ながら、水そのものである。したがって、水性の非表面活性な液体の担体の構成成分は一般に、全部ではないにしても、大部分が水からなる。他のタイプの水混和性の液体、そのようなアルカノール、ジオール、他のポリオール、エーテル、アミン等が従来、液体洗剤組成物に共溶媒または安定化剤として添加されているが、本発明の目的では、そのような水混和性の液体の活用は、組成物のコストを抑えるために最小限に留めるべきである。したがって、本明細書の液体洗剤製品の水性の液体の担体の構成成分は一般に、組成物の重量に関して、約５％〜約９０％、より好ましくは、約２０％〜約７０％の範囲に及ぶ濃度で存在する水を含む。
【０１１４】
また、洗剤組成物は、漂白剤も含有することができる。適切な漂白剤として、例えば、過酸化水素供給源、例として、本明細書に組み込まれているＫｉｒｋ  Ｏｔｈｍｅｒ’ｓ  Ｅｎｃｙｃｌｏｐｅｄｉａ  ｏｆ  Ｃｈｅｍｉｃａｌ  Ｔｅｃｈｎｏｌｏｇｙ、４版（１９９２年、Ｊｏｈｎ  Ｗｉｌｅｙ  ＆  Ｓｏｎｓ）、Ｖｏｌ．４、２７１〜３００頁、「Ｂｌｅａｃｈｉｎｇ  Ａｇｅｎｔｓ（Ｓｕｒｖｅｙ）」に詳細に記載されているものが挙げられる。これらの過酸化水素供給源は、種々の形態の過ホウ酸ナトリウムおよび過炭酸ナトリウムを含み、これらの化合物の種々の被覆および改変形態が挙げられる。
【０１１５】
本明細書において使用する過酸化水素の好ましい供給源は、過酸化水素自体を含めた、任意の好都合な供給源であってよい。例えば、過ホウ酸塩、例えば、過ホウ酸ナトリウム（任意の水和物だが、好ましくは、一または四水和物）、炭酸ナトリウム過酸化水素化物もしくは同等の過炭酸塩、ピロリン酸ナトリウム過酸化水素化物、尿素過酸化水素化物、または過酸化ナトリウムを、本明細書では使用することができる。また、利用可能な酸素の供給源、例として、過硫酸塩ブリーチ（例えば、ＤｕＰｏｎｔが製造するＯＸＯＮＥ）も有用である。過ホウ酸ナトリウム一水和物および過炭酸ナトリウムが、特に好ましい。また、任意の好都合な過酸化水素供給源の混合物を使用してもよい。
【０１１６】
適切な過炭酸塩ブリーチは、約５００マイクロメートル〜約１，０００マイクロメートルの範囲に及ぶ平均粒子サイズを有する乾燥粒子を含み、約１０重量％以下の前記粒子が、約２００マイクロメートル未満であり、約１０重量％以下の前記粒子が、約１，２５０マイクロメートル超である。場合により、過炭酸塩を、ケイ酸塩、ホウ酸塩または水溶性界面活性剤を用いて被覆してもよい。過炭酸塩は、種々の商業的供給源、例として、ＦＭＣ、ＳｏｌｖａｙおよびＴｏｋａｉ  Ｄｅｎｋａから入手可能である。
【０１１７】
また、本発明の組成物は、漂白剤として、塩素系の漂白物質を含むこともできる。そのような薬剤は、当技術分野でよく知られており、例えば、ジクロロイソシアヌル酸ナトリウム（「ＮａＤＣＣ：sodium dichloroisocyanurate」）を含む。しかし、塩素系ブリーチは、酵素を含む組成物にとってはあまり好ましくない。
【０１１８】
（ａ）ブリーチ活性化剤−好ましくは、組成物中の過酸素のブリーチ構成成分を、活性化剤（過酸前駆体）と共に製剤化する。活性化剤は、組成物の重量に関して、約０．０１％から、好ましくは、約０．５％から、より好ましくは、約１％から、約１５％まで、好ましくは、約１０％まで、より好ましくは、約８％までのレベルで存在する。本明細書で使用するブリーチ活性化剤は、過酸化水素と併せて使用すると、その供給源からブリーチ活性化剤に対応する過酸のインサイチュー（ｉｎ  ｓｉｔｕ）の生成が生じる任意の化合物である。活性化剤の種々の非限定的な例が、米国特許第５，５７６，２８２号；第４，９１５，８５４号および第４，４１２，９３４号に開示されている。また、本明細書において有用である他の典型的なブリーチおよび活性化剤については、米国特許第４，６３４，５５１号も参照されたい。
【０１１９】
好ましい活性化剤は、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ10−ＯＢＳ）、ベンゾイルバレロラクタム（ＢＺＶＬ）、オクタノイルオキシベンゼンスルホネート（Ｃ8−ＯＢＳ）、それらの過加水分解可能な（perhydrolyzable）エステルおよび混合物からなる群から選択され、最も好ましくは、ベンゾイルカプロラクタムおよびベンゾイルバレロラクタムである。約８〜約１１のｐＨ範囲において特に好ましいブリーチ活性化剤は、ＯＢＳまたはＶＬ脱離基を有する、選択される活性化剤である。
【０１２０】
好ましい疎水性ブリーチ活性化剤として、これに限定されないが、ノナノイルオキシベンゼンスルホネート（ＮＯＢＳ）；４−［Ｎ−（ノナノイル）アミノヘキサノイルオキシ］−ベンゼンスルホネートのナトリウム塩（ＮＡＣＡ−ＯＢＳ：4-[N-(nonanoyl) amino hexanoyloxy]-benzene sulfonate）（その例が、米国特許第５，５２３，４３４号に記載されている）；ドデカノイルオキシベンゼンスルホネート（ＬＯＢＳ：dodecanoyloxybenzenesulphonate、またはＣ12−ＯＢＳ）；１０−ウンデセノイルオキシベンゼンスルホネート（ＵＤＯＢＳまたはＣ11−ＯＢＳ、１０位において不飽和である）；およびデカノイルオキシ安息香酸（ＤＯＢＡ）が挙げられる。
【０１２１】
好ましいブリーチ活性化剤は、Ｂｕｒｎｓらに対する米国特許第５，９９８，３５０号；Ｃｈｒｉｓｔｉｅらに対する米国特許第５，６９８，５０４号；Ｃｈｒｉｓｔｉｅらに対する米国特許第５，６９５，６７９号；Ｗｉｌｌｅｙらに対する米国特許第５，６８６，４０１号；Ｈａｒｔｓｈｏｒｎらに対する米国特許第５，６８６，０１４号；Ｗｉｌｌｅｙらに対する米国特許第５，４０５，４１２号；Ｗｉｌｌｅｙらに対する米国特許第５，４０５，４１３号；Ｍｉｔｃｈｅｌらに対する米国特許第５，１３０，０４５号；およびＣｈｕｎｇらに対する米国特許第４，４１２，９３４号に記載されているものであり、これらの全てが、参照により本明細書に組み込まれている。
【０１２２】
過酸素供給源（ＡｖＯとして）対ブリーチ活性化剤のモル比は、本発明においては一般に、少なくとも１：１から、好ましくは、約２０：１から、より好ましくは、約１０：１から、約１：１まで、好ましくは、約３：１までの範囲に及ぶ。
【０１２３】
また、四級置換ブリーチ活性化剤も含むことができる。本洗濯組成物は、好ましくは、四級置換ブリーチ活性化剤（ＱＳＢＡ：quaternary substituted bleach activator）、または四級置換過酸（ＱＳＰ：quaternary substituted peracid、好ましくは、四級置換過カルボン酸もしくは四級置換ペルオキシイミド酸）；より好ましくは、前者を含む。好ましいＱＳＢＡ構造が、Ｗｉｌｌｅｙらに対する米国特許第５，６８６，０１５号；Ｔａｙｌｏｒらに対する米国特許第５，６５４，４２１号；Ｇｏｓｓｅｌｉｎｋらに対する米国特許第５，４６０，７４７号；Ｍｉｒａｃｌｅらに対する米国特許第５，５８４，８８８号；Ｔａｙｌｏｒらに対する米国特許第５，５７８，１３６号にさらに記載されており、これらの全てが、参照により本明細書に組み込まれている。
【０１２４】
本明細書において有用である非常に好ましいブリーチ活性化剤は、米国特許第５，６９８，５０４号；第５，６９５，６７９号；および第５，６８６，０１４号に記載されているアミド置換体である。これらのそれぞれを、本明細書上記に引用した。そのようなブリーチ活性化剤の好ましい例として、（６−オクタンアミドカプロイル）オキシベンゼンスルホネート、（６−ノナンアミドカプロイル）オキシベンゼンスルホネート、（６−デカンアミドカプロイル）オキシベンゼンスルホネート、およびそれらの混合物が挙げられる。
【０１２５】
他の有用な活性化剤が、米国特許第５，６９８，５０４号；第５，６９５，６７９号；および第５，６８６，０１４号に開示されており（これらのそれぞれは、本明細書上記に引用されている）、Ｈｏｄｇｅらに対する米国特許第４，９６６，７２３号にも開示されている。これらの活性化剤は、ベンゾキサジン系活性化剤、例として、１，２−位において、部分−Ｃ（Ｏ）ＯＣ（Ｒ1）＝Ｎ−が融合しているＣ6Ｈ4環を含む。
【０１２６】
ニトリル、例として、アセトニトリルおよび／またはアンモニウムニトリル、ならびに他の四級窒素含有ニトリルは、本明細書において有用である別のクラスの活性化剤である。そのようなニトリルブリーチ活性化剤の非限定的な例が、米国特許第６，１３３，２１６号；第３，９８６，９７２号；第６，０６３，７５０号；第６，０１７，４６４号；第５，９５８，２８９号；第５，８７７，３１５号；第５，７４１，４３７号；第５，７３９，３２７号；第５，００４，５５８号；ならびにＥＰ第７９０２４４号、第７７５１２７号、第１０１７７７３号、第１０１７７７６号；ならびにＷＯ９９／１４３０２、ＷＯ９９／１４２９６、ＷＯ９６／４０６６１に記載されており、これらの全てが、参照により本明細書に組み込まれている。
【０１２７】
活性化剤および正確な適用に応じて、良好な漂白結果を、約６〜約１３、好ましくは、約９．０〜約１０．５の使用時のｐＨを有する漂白系から得ることができる。典型的には、例えば、電子吸引性部分を有する活性化剤を、ほぼ中性のまたは中性を下回るｐＨ範囲については使用する。アルカリと緩衝化剤とを使用して、そのようなｐＨを確保することができる。
【０１２８】
アシルラクタム活性化剤が、米国特許第５，６９８，５０４号；第５，６９５，６７９号および第５，６８６，０１４号に記載されており、これらのそれぞれを、本明細書上記に引用した。これら、とりわけ、アシルカプロラクタム（例えば、ＷＯ９４−２８１０２Ａを参照されたい）、およびアシルバレロラクタム（参照により本明細書に組み込まれているＷｉｌｌｅｙらに対する米国特許第５，５０３，６３９号を参照されたい）が、本明細書では非常に有用である。
【０１２９】
（ｂ）有機過酸化物、とりわけ、ジアシル過酸化物−これらは、Ｋｉｒｋ  Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ、Ｖｏｌ．１７、Ｊｏｈｎ  Ｗｉｌｅｙ  ａｎｄ  Ｓｏｎｓ、１９８２年、２７〜９０頁、とりわけ、６３〜７２頁に広範に示されており、全てが、参照により本明細書に組み込まれている。ジアシル過酸化物を使用する場合、これは、好ましくは、色の手入れを含めた、織物の手入れに、最低限の有害な影響しかもたらさないジアシル過酸化物である。
【０１３０】
（ｃ）金属含有ブリーチ触媒−また、本発明の組成物および方法は、場合により、金属含有ブリーチ触媒、好ましくは、マンガンおよびコバルト含有ブリーチ触媒を含んでもよい。
【０１３１】
金属含有ブリーチ触媒の１つのタイプは、確定したブリーチ触媒活性の遷移金属カチオン（例として、銅、鉄、チタン、ルテニウム  タングステン、モリブデンまたはマンガンのカチオン）、ブリーチ触媒活性をほとんどまたは全く有さない補助的な金属カチオン（例として、亜鉛またはアルミニウムのカチオン）、ならびに触媒のおよび補助的な金属カチオンについての確定した安定度定数を有する封鎖剤（sequestrate）（特に、エチレンジアミン四酢酸、エチレンジアミン四（メチレンホスホン酸）およびそれらの水溶性塩）を含む触媒系である。そのような触媒が、Ｂｒａｇｇに対する米国特許第４，４３０，２４３号に開示されている。
【０１３２】
マンガン金属錯体−所望により、本明細書の組成物は、マンガン化合物による触媒作用を受けることができる。そのような化合物および使用レベルは、当技術分野でよく知られており、例えば、米国特許第５，５７６，２８２号；第５，２４６，６２１号；第５，２４４，５９４号；第５，１９４，４１６号；および第５，１１４，６０６号；ならびに欧州特許出願公開第５４９，２７１Ａ１号；第５４９，２７２Ａ１号；第５４４，４４０Ａ２号；および第５４４，４９０Ａ１号に開示されているマンガン系触媒が挙げられる。これらの触媒の好ましい例として、Ｍｎ（ＩＶ）2（ｕ−Ｏ）3（１，４，７−トリメチル−１，４，７−トリアザシクロノナン）2（ＰＦ6）2、Ｍｎ（ＩＩＩ）2（ｕ−Ｏ）1（ｕ−ＯＡｃ）2（１，４，７−トリメチル−１，４，７−トリアザシクロノナン）2（ＣｌＯ4）2、Ｍｎ（ＩＶ）4（ｕ−Ｏ）6（１，４，７−トリアザシクロノナン）4（ＣｌＯ4）4、Ｍｎ（ＩＩＩ）Ｍｎ（ＩＶ）4（ｕ−Ｏ）1（ｕ−ＯＡｃ）2−（１，４，７−トリメチル−１，４，７−トリアザシクロノナン）2（ＣｌＯ4）3、Ｍｎ（ＩＶ）（１，４，７−トリメチル−１，４，７−トリアザシクロノナン）−（ＯＣＨ3）3（ＰＦ6）、およびそれらの混合物が挙げられる。他の金属系のブリーチ触媒は、米国特許第４，４３０，２４３号および第５，１１４，６１１号に開示されているものを含む。また、漂白を増強するための、種々の錯体配位子を有するマンガンの使用は、以下にも報告されている：米国特許第４，７２８，４５５号；第５，２８４，９４４号；第５，２４６，６１２号；第５，２５６，７７９号；第５，２８０，１１７号；第５，２７４，１４７号；第５，１５３，１６１号；および第５，２２７，０８４号。
【０１３３】
コバルト金属錯体−本明細書において有用なコバルトブリーチ触媒は、知られており、例えば、米国特許第５，５９７，９３６号；第５，５９５，９６７号；および第５，７０３，０３０号；ならびにＭ．Ｌ．Ｔｏｂｅ、「Ｂａｓｅ  Ｈｙｄｒｏｌｙｓｉｓ  ｏｆ  Ｔｒａｎｓｉｔｉｏｎ−Ｍｅｔａｌ  Ｃｏｍｐｌｅｘｅｓ」、Ａｄｖ．Ｉｎｏｒｇ．Ｂｉｏｉｎｏｒｇ．Ｍｅｃｈ．、（１９８３年）、２、１〜９４頁に記載されている。本明細書において有用である最も好ましいコバルト触媒は、式［Ｃｏ（ＮＨ3）5ＯＡｃ］Ｔｙ（式中、「ＯＡｃ」は、酢酸部分を示し、「Ｔｙ」は、アニオンである）を有するコバルトペンタアミン酢酸塩、とりわけ、塩化コバルトペンタアミン酢酸［Ｃｏ（ＮＨ3）5ＯＡｃ］Ｃｌ2；ならびに［Ｃｏ（ＮＨ3）5ＯＡｃ］（ＯＡｃ）2；［Ｃｏ（ＮＨ3）5ＯＡｃ］（ＰＦ6）2；［Ｃｏ（ＮＨ3）5ＯＡｃ］（ＳＯ4）；［Ｃｏ（ＮＨ3）5ＯＡｃ］（ＢＦ4）2；および［Ｃｏ（ＮＨ3）5ＯＡｃ］（ＮＯ3）2（本明細書では、「ＰＡＣ」）である。
【０１３４】
これらのコバルト触媒は、知られている手順、例えば、米国特許第６，３０２，９２１号；第６，２８７，５８０号；第６，１４０，２９４号；第５，５９７，９３６号；第５，５９５，９６７号；および第５，７０３，０３０号；Ｔｏｂｅ論文およびそこに引用されている参考文献；ならびに米国特許第４，８１０，４１０号；Ｊ．Ｃｈｅｍ．Ｅｄ．（１９８９年）、６６（１２）、１０４３〜４５頁；Ｔｈｅ  Ｓｙｎｔｈｅｓｉｓ  ａｎｄ  Ｃｈａｒａｃｔｅｒｉｚａｔｉｏｎ  ｏｆ  Ｉｎｏｒｇａｎｉｃ  Ｃｏｍｐｏｕｎｄｓ、Ｗ．Ｌ．Ｊｏｌｌｙ（Ｐｒｅｎｔｉｃｅ−Ｈａｌｌ；１９７０年）、４６１〜３頁；  Ｉｎｏｒｇ．Ｃｈｅｍ．、１８、１４９７〜１５０２頁（１９７９年）；Ｉｎｏｒｇ．Ｃｈｅｍ．、２１、２８８１〜２８８５頁（１９８２年）；Ｉｎｏｒｇ．Ｃｈｅｍ．、１８、２０２３〜２０２５頁（１９７９年）；Ｉｎｏｒｇ．Ｓｙｎｔｈｅｓｉｓ、１７３〜１７６頁（１９６０年）；ならびにＪｏｕｒｎａｌ  ｏｆ  Ｐｈｙｓｉｃａｌ  Ｃｈｅｍｉｓｔｒｙ、５６、２２〜２５頁（１９５２年）に教示されているもの等により容易に調製される。
【０１３５】
大環状多環剛直配位子（macropolycyclic rigid ligand）の遷移金属錯体−また、本明細書の組成物は、ブリーチ触媒として、大環状多環剛直配位子の遷移金属錯体を適切に含むこともできる。使用する量は、触媒有効量、適切には、約１ｐｐｂ以上、例えば、最大約９９．９％、より典型的には、約０．００１ｐｐｍ以上、好ましくは、約０．０５ｐｐｍ〜約５００ｐｐｍである（「ｐｐｂ」は、重量に関する十億分率を意味し、「ｐｐｍ」は、重量に関する百万分率を意味する）。
【０１３６】
本発明の組成物中で使用するのに適している大環状剛直配位子の遷移金属ブリーチ触媒は、一般に、本明細書の定義に従う知られている化合物を含むことができ、ならびに、より好ましくは、本発明の洗濯のためまたは洗濯に使用するために明確に設計された多数の新規の化合物のうちのいずれかであってよく、以下のうちのいずれかにより、非限定的に示される：
ジクロロ−５，１２−ジメチル−１，５，８，１２−テトラアザビシクロ［６．６．２］ヘキサデカンマンガン（ＩＩ）
ジクロロ−５，１２−ジエチル−１，５，８，１２−テトラアザビシクロ［６．６．２］ヘキサデカンマンガン（ＩＩ）
ヘキサフルオロリン酸ジアコ−５，１２−ジメチル−１，５，８，１２−テトラアザビシクロ［６．６．２］ヘキサデカンマンガン（ＩＩ）
ヘキサフルオロリン酸ジアコ−５，１２−ジエチル−１，５，８，１２−テトラアザビシクロ［６．６．２］ヘキサデカンマンガン（ＩＩ）
ヘキサフルオロリン酸アコ−ヒドロキシ−５，１２−ジメチル−１，５，８，１２−テトラアザビシクロ［６．６．２］ヘキサデカンマンガン（ＩＩＩ）
テトラフルオロホウ酸ジアコ−５，１２−ジメチル−１，５，８，１２−テトラアザビシクロ［６．６．２］ヘキサデカンマンガン（ＩＩ）
ヘキサフルオロリン酸ジクロロ−５，１２−ジメチル−１，５，８，１２テトラアザビシクロ［６．６．２］ヘキサデカンマンガン（ＩＩＩ）
ヘキサフルオロリン酸ジクロロ−５，１２−ジエチル−１，５，８，１２−テトラアザビシクロ［６．６．２］ヘキサデカンマンガン（ＩＩＩ）
ジクロロ−５，１２−ジ−ｎ−ブチル−１，５，８，１２−テトラアザビシクロ［６．６．２］ヘキサデカンマンガン（ＩＩ）
ジクロロ−５，１２−ジベンジル−１，５，８，１２−テトラアザビシクロ［６．６．２］ヘキサデカンマンガン（ＩＩ）
ジクロロ−５−ｎ−ブチル−１２−メチル−１，５，８，１２−テトラアザ−ビシクロ［６．６．２］ヘキサデカンマンガン（ＩＩ）
ジクロロ−５−ｎ−オクチル−１２−メチル−１，５，８，１２−テトラアザ−ビシクロ［６．６．２］ヘキサデカンマンガン（ＩＩ）
ジクロロ−５−ｎ−ブチル−１２−メチル−１，５，８，１２−テトラアザ−ビシクロ［６．６．２］ヘキサデカンマンガン（ＩＩ）。
【０１３７】
限定の目的ではなく、実際問題として、本明細書の組成物および方法は、親油性の流体およびブリーチ系を含む組成物中に、およそ少なくとも０．０１ｐｐｍの活性なブリーチ触媒種をもたらすように調節することができ、好ましくは、親油性の流体およびブリーチ系を含む組成物中に、約０．０１ｐｐｍ〜約２５ｐｐｍ、より好ましくは、約０．０５ｐｐｍ〜約１０ｐｐｍ、最も好ましくは、約０．１ｐｐｍ〜約５ｐｐｍのブリーチ触媒種をもたらす。
【０１３８】
（ｄ）ブリーチ促進性化合物−本明細書の組成物は、１以上のブリーチ促進性化合物を含むことができる。ブリーチ促進性化合物は、より低い温度で適用した場合に、漂白の有効性の増加をもたらす。ブリーチ促進剤は、従来の過酸素漂白供給源と共に作用して、漂白の有効性の増加をもたらす。これは通常、活性な酸素移動剤、例として、ジオキシラン、オキサジリジンまたはオキサジリジニウムのインサイチューの形成を通して達成される。あるいは、あらかじめ形成されたジオキシラン、オキサジリジンおよびオキサジリジニウムを使用してもよい。
【０１３９】
本発明に従って使用するのに適したブリーチ促進性化合物には、カチオン性イミン、双性イオン性イミン、アニオン性イミンおよび／または約＋３〜約−３の正味の電荷を有する多イオン性イミン、およびそれらの混合物がある。本発明のこれらのイミンのブリーチ促進性化合物は、一般構造：
【化５７】
2013531706.tif 000059
【０１４０】
（式中、Ｒ1〜Ｒ4は、水素、またはフェニル、アリール、複素環、アルキルおよびシクロアルキルラジカルからなる群から選択される無置換もしくは置換ラジカルであり得る）の化合物を含む。
【０１４１】
好ましいブリーチ促進性化合物には、双性イオン性のブリーチ促進剤があり、これらは、米国特許第５，５７６，２８２号および第５，７１８，６１４号に記載されている。他のブリーチ促進性化合物は、米国特許第５，３６０，５６９号；第５，４４２，０６６号；第５，４７８，３５７号；第５，３７０，８２６号；第５，４８２，５１５号；第５，５５０，２５６号；ならびにＷＯ９５／１３３５１、ＷＯ９５／１３３５２およびＷＯ９５／１３３５３に記載されているカチオン性ブリーチ促進剤を含む。
【０１４２】
過酸素供給源は、当技術分野でよく知られており、本発明において利用する過酸素供給源は、過酸素化合物、および消費者の使用条件下において、有効量の過酸素をインサイチューでもたらす化合物を含めた、これらのよく知られている供給源のうちのいずれかを含むことができる。過酸素供給源は、過酸化水素供給源、過酸化水素供給源とブリーチ活性化剤との反応による過酸アニオンのインサイチューの形成、あらかじめ形成された過酸化合物、または適切な過酸素供給源の混合物を含むことができる。当然ながら、当業者であれば、過酸素の他の供給源を、本発明の範囲から逸脱することなく利用することができることを認識するであろう。ブリーチ促進性化合物が存在する場合、これらは、好ましくは、本発明の漂白系中の過酸素供給源と共に利用される。
【０１４３】
（ｅ）あらかじめ形成された過酸−また、あらかじめ形成された過酸も、漂白剤として適している。本明細書で使用する、あらかじめ形成された過酸化合物は、任意の好都合な化合物であり、そうした化合物は、安定であり、消費者の使用条件下で、有効量の過酸または過酸アニオンをもたらす。あらかじめ形成された過酸化合物は、過カルボン酸および塩、過炭酸および塩、過イミド酸（perimidic acid）および塩、ペルオキシモノ硫酸（peroxymonosulfuric acid）および塩、ならびにそれらの混合物からなる群から選択することができる。これらの化合物例が、Ｍｉｒａｃｌｅらに対する米国特許第５，５７６，２８２号に記載されている。
【０１４４】
適切な有機ペルオキシカルボン酸（peroxycarboxylic acid）の１つのクラスは、一般式：
【化５８】
2013531706.tif 000060
【０１４５】
（式中、Ｒは、１〜約２２の炭素原子を含有するアルキレンもしくは置換アルキレン基、またはフェニレンもしくは置換フェニレン基であり、Ｙは、水素、ハロゲン、アルキル、アリール、−Ｃ（Ｏ）ＯＨまたは−Ｃ（Ｏ）ＯＯＨである）を有する。
【０１４６】
本発明において使用するのに適している有機ペルオキシ酸は、１または２のいずれかのペルオキシ基を含有することができ、脂肪族または芳香族のいずれかであり得る。有機ペルオキシカルボン酸が脂肪族である場合、無置換の過酸は、一般式：
【化５９】
2013531706.tif 000061
【０１４７】
（式中、Ｙは、例えば、Ｈ、ＣＨ3、ＣＨ2Ｃｌ、Ｃ（Ｏ）ＯＨまたはＣ（Ｏ）ＯＯＨであってよく；ｎは、０〜２０の整数である）を有する。有機ペルオキシカルボン酸が芳香族である場合、無置換の過酸は、一般式：
【化６０】
2013531706.tif 000062
【０１４８】
（式中、Ｙは、例えば、水素、アルキル、アルキルハロゲン、ハロゲン、Ｃ（Ｏ）ＯＨまたはＣ（Ｏ）ＯＯＨであってよい）を有する。
【０１４９】
本明細書において有用である典型的なモノペルオキシ酸は、アルキルおよびアリールペルオキシ酸、例として、
（ｉ）ペルオキシ安息香酸および環置換ペルオキシ安息香酸、例えば、ペルオキシ−ａ−ナフトエ酸、モノペルオキシフタル酸（マグネシウム塩六水和物）、およびｏ−カルボキシベンズアミドペルオキシヘキサン酸（ナトリウム塩）；
（ｉｉ）脂肪族、置換脂肪族およびアリールアルキルモノペルオキシ酸、例えば、ペルオキシラウリン酸、ペルオキシステアリン酸、Ｎ−ノナノイルアミノペルオキシカプロン酸（ＮＡＰＣＡ）、Ｎ，Ｎ−（３−オクチルスクシノイル）アミノペルオキシカプロン酸（ＳＡＰＡ）およびＮ，Ｎ−フタロイルアミノペルオキシカプロン酸（ＰＡＰ）；
（ｉｉｉ）アミドペルオキシ酸、例えば、ペルオキシコハク酸の（ＮＡＰＳＡ）またはペルオキシアジピン酸の（ＮＡＰＡＡ）いずれかのモノノニルアミド
を含む。
【０１５０】
本明細書において有用である典型的なジペルオキシ酸は、アルキルジペルオキシ酸およびアリールジペルオキシ酸、例として、
（ｉ）１，１２−ジペルオキシドデカンジオン酸；
（ｉｉ）１，９−ジペルオキシアゼライン酸；
（ｉｉｉ）ジペルオキシブラシル酸；ジペルオキシセバシン酸およびジペルオキシイソフタル酸；
（ｉｖ）２−デシルジペルオキシブタン−１，４−ジオン酸；
（ｖ）４，４’−スルホニルビスペルオキシ安息香酸
を含む。
【０１５１】
そのような漂白剤が、Ｈａｒｔｍａｎに対する米国特許第４，４８３，７８１号およびＢｕｒｎｓらに対する第４，６３４，５５１号；Ｂａｎｋｓらに対する欧州特許出願第０，１３３，３５４号；およびＣｈｕｎｇらに対する米国特許第４，４１２，９３４号に開示されている。また、供給源は、Ｂｕｒｎｓらに対する米国特許第４，６３４，５５１号に記載されている６−ノニルアミノ−６−オキソペルオキシカプロン酸も含む。また、過硫酸塩化合物、例えば、Ｗｉｌｍｉｎｇｔｏｎ、ＤＥのＥ．Ｉ．ＤｕＰｏｎｔ  ｄｅ  Ｎｅｍｏｕｒｓが商業的に製造しているＯＸＯＮＥ等も、ペルオキシモノ硫酸の適切な供給源として利用することができる。ＰＡＰは、例えば、米国特許第５，４８７，８１８号；第５，３１０，９３４号；第５，２４６，６２０号；第５，２７９，７５７号および第５，１３２，４３１号に開示されている。
【０１５２】
（ｆ）光ブリーチ−本発明の組成物を取り扱う場合に使用するのに適した光ブリーチとして、これに限定されないが、米国特許第４，２１７，１０５号および第５，９１６，４８１号に記載されている光ブリーチが挙げられる。
【０１５３】
（ｇ）酵素漂白−酵素系を、漂白剤として使用することができる。また、過酸化水素は、酵素系（すなわち、酵素およびそのための基質）を添加することによっても存在させることができ、そうした酵素系は、洗浄および／または濯ぎのプロセスの初めまたは間に、過酸化水素を発生させることが可能である。そのような酵素系が、１９９１年１０月９日出願の欧州特許出願第９１２０２６５５．６号に開示されている。
【０１５４】
本発明の組成物および方法は、代替のブリーチ系、例として、オゾン、二酸化塩素等を活用することもできる。オゾンを用いる漂白は、約２０〜約３００ｇ／ｍ3のオゾン含有量を有するオゾン含有ガスを、織物に接触させようとする溶液中に導入することによって達成することができる。溶液中のガス：液体の比は、約１：２．５〜約１：６に維持すべきである。米国特許第５，３４６，５８８号は、オゾンを従来のブリーチ系の代替として活用するためのプロセスを記載しており、参照により本明細書に組み込まれている。
【０１５５】
また、本発明の洗剤組成物は、任意の数の追加の任意選択の成分も含むことができる。これらは、従来の洗濯洗剤組成物構成成分、例として、非色付け染料、洗浄力があるビルダー、酵素、酵素安定化剤（例として、プロピレングリコール、ホウ酸および／またはホウ砂）、泡立ち抑制剤、土壌懸濁化剤、土壌放出剤、他の織物の手入れに有益な薬剤、ｐＨ調節剤、キレート化剤、スメクタイト粘土、溶媒、ヒドロトロープ、ならびに相安定化剤、構造化剤、染料移動阻害剤、不透明化剤、蛍光増白剤、香料および着色剤を含む。種々の任意選択の洗剤組成物の成分は、本明細書の組成物中に存在させる場合には、組成物または洗濯操作に所望される寄与をもたらすために従来利用されている濃度で活用すべきである。頻繁に、そのような任意選択の洗剤組成物の成分の総量は、組成物の重量に関して、約０．０１％〜約５０％、より好ましくは、約０．１％〜約３０％の範囲に及ぶことがある。
【０１５６】
液体洗剤組成物は、界面活性剤、蛍光増白剤、および特定の任意選択の他の成分の水溶液、または一様な分散液もしくは懸濁液の形態をとり、これらの成分うちのいくつかは通常、固体の形態をとり得、これらの固体は、組成物の通常液体の構成成分、例として、液体の非イオン性アルコールエトキシレート、水性の液体の担体、および任意の他の通常液体の任意選択の成分と組み合わせられている。そのような溶液、分散液または懸濁液は、安定な相を満足に保ち、典型的には、約１００〜６００ｃｐｓ、より好ましくは、約１５０〜４００ｃｐｓの範囲に及ぶ粘度を有する。本発明の目的では、粘度を、ブルックフィールドＬＶＤＶ−ＩＩ＋粘度計装置を用いて、２１番のスピンドルを使用して測定する。
【０１５７】
本明細書の液体洗剤組成物は、それらの構成成分を任意の好都合な順番で組み合わせ、得られた構成成分の組合せを混合して、例えば、かき混ぜて、安定な相を保つ液体洗剤組成物を形成することによって調製することができる。そのような組成物を調製するための好ましいプロセスでは、液体構成成分、例えば、非イオン性界面活性剤、非表面活性な液体の担体、および他の任意選択の液体構成成分の少なくとも大きな比率、好ましくは、実質的に全てを含有する液体マトリックスを形成し、液体構成成分を、この液体の組合せをせん断によりかき混ぜることによって徹底的に混合する。例えば、機械的な撹拌機を用いる迅速な撹拌を、有用に利用することができる。せん断によるかき混ぜを維持しながら、任意のアニオン性界面活性剤の実質的に全て、および固体の形態の成分を添加することができる。混合物のかき混ぜを、継続し、必要であれば、この時点で増加させて、溶液、または液相内の、不溶性の固相の粒子状物質の一様な分散液を形成することができる。固体形態の物質の一部または全部を、このかき混ぜた混合物に添加した後、含めようとする任意の酵素物質の粒子、例えば、酵素プリルを組み込む。以上に記載した組成物の調製手順の変更形態として、固体構成成分のうちの１以上を、かき混ぜた混合物に、液体構成成分のうちの１以上の小部分とあらかじめ混合した溶液または粒子のスラリーとして添加することもできる。組成物の構成成分の全てを添加した後、混合物のかき混ぜを、必要な粘度および相安定性の特徴を有する組成物を形成するのに十分な期間にわたり継続する。頻繁に、これは、約３０〜６０分にわたるかき混ぜを含む。
【０１５８】
液体洗剤組成物を形成するための代替の実施形態では、蛍光増白剤を、最初に、１以上の液体構成成分と組み合わせて、蛍光増白剤プレミックスを形成し、この蛍光増白剤プレミックスを、洗濯洗剤組成物の残りの構成成分の実質的な部分、例えば、５０重量％超、より具体的には、７０重量％超、さらにより具体的には、９０重量％超を含有する組成物製剤に添加する。例えば、上記に記載した方法では、蛍光増白剤プレミックスと酵素構成成分の両方を、構成成分添加の最終段階において添加する。さらなる実施形態では、蛍光増白剤を、洗剤組成物への添加の前にカプセル化し、カプセル化蛍光増白剤を、構造化した液体中に懸濁させ、懸濁液を、洗濯洗剤組成物の残りの構成成分の実質的な部分を含有する組成物製剤に添加する。
【０１５９】
これまでに示したように、洗剤組成物は、固体の形態をとることができる。適切な固体の形態は、錠剤、および粒子状物質形態、例えば、顆粒の粒子またはフレークを含む。そのような固体の形態の洗剤組成物を形成するための種々の技法は、当技術分野でよく知られており、本明細書において使用することができる。一実施形態では、例えば、組成物が顆粒の粒子の形態をとる場合、蛍光増白剤を、洗濯洗剤組成物の全てではなく追加の構成成分を場合により含む粒子状物質の形態で提供する。蛍光増白剤の粒子状物質を、１以上の追加の、洗濯洗剤組成物の残りの構成成分を含有する粒子状物質と組み合わせる。さらに、洗濯洗剤組成物の全てではなく追加の構成成分を場合により含めむ蛍光増白剤を、カプセル化形態で提供することもでき、蛍光増白剤カプセル化物は、洗濯洗剤組成物の実質的に残りの構成成分を含有する粒子状物質と組み合わせられる。
【０１６０】
以上の記載に従って調製した本発明の組成物を使用して、織物の洗濯において使用するための水性の洗浄溶液を形成することができる。一般に、そのような水性の洗濯用溶液を形成するためには、そのような組成物の有効量を、水に、好ましくは、従来の織物洗濯用自動洗浄機中で添加する。次いで、そのように形成した水性の洗浄溶液を、好ましくは、かき混ぜながら、それを用いて洗濯しようとする織物と接触させる。水性の洗濯用溶液を形成するために水に添加する本明細書の液体洗剤組成物の有効量は、水性の洗浄溶液中で約５００〜７，０００ｐｐｍの組成物を形成するのに十分な量を含むことができる。より好ましくは、約１，０００〜３，０００ｐｐｍの本明細書の洗剤組成物を、水性の洗浄溶液中にもたらす。
【０１６１】
織物手入れ用組成物／濯ぎ添加型織物軟化組成物
別の特定の実施形態では、本発明の蛍光増白剤を、織物手入れ用組成物中に含めることができる。織物手入れ用組成物は、少なくとも１つの蛍光増白剤、および濯ぎ添加型織物軟化組成物（「ＲＡＦＳ：rinse added fabric softening composition」；濯ぎ添加型織物調質組成物としてもまた知られている）からなり得る。典型的な濯ぎ添加型軟化組成物の例を、２００４年１０月８日出願の米国仮特許出願第６０／６８７５８２号に見出すことができる。本発明の濯ぎ添加型織物軟化組成物は、（ａ）織物軟化活性剤、および（ｂ）チアゾリウム染料を含むことができる。濯ぎ添加型織物軟化組成物は、約１重量％〜約９０重量％のＦＳＡ、より好ましくは、約５重量％〜約５０重量％のＦＳＡを含むことができる。蛍光増白剤は、濯ぎ添加型織物軟化組成物中に、約０．５ｐｐｂ〜約５０ｐｐｍ、より好ましくは、約０．５ｐｐｍ〜約３０ｐｐｍの量で存在し得る。
【０１６２】
本発明の一実施形態では、織物軟化活性剤（以下、「ＦＳＡ：fabric softening active」）は、濯ぎのステップにおいて織物を軟化するのに適している四級アンモニウム化合物である。一実施形態では、ＦＳＡを、脂肪酸とアミノアルコールとの、モノ−、ジ−、および一実施形態では、トリエステル化合物の混合物が得られる反応生成物から形成する。別の実施形態では、ＦＳＡは、１以上の軟化剤四級アンモニウム化合物、例として、これらに限定されないが、モノアルキル四級アンモニウム化合物、ジアミド四級化合物およびジエステル四級アンモニウム化合物、またはそれらの組合せを含む。
【０１６３】
本発明の一態様では、ＦＳＡは、ジエステル四級アンモニウム（以下、「ＤＱＡ：diester quaternary ammonium」）化合物組成を含む。本発明の特定の実施形態では、また、ＤＱＡ化合物組成物は、ジアミドＦＳＡならびに混合しているアミドおよびエステル連結、加えて上記のジエステル連結を有するＦＳＡの記載も包含し、これら全てを、本明細書では、ＤＱＡと呼ぶ。
【０１６４】
本ＣＦＳＣ中のＦＳＡとして適切なＤＱＡの第１のタイプ（「ＤＱＡ（１）」）は、式：
【化６１】
2013531706.tif 000063
【０１６５】
（式中、それぞれのＲ置換基は、水素、短鎖Ｃ1〜Ｃ6、好ましくは、Ｃ1〜Ｃ3アルキルもしくはヒドロキシアルキル基、例えば、メチル（最も好ましい）、エチル、プロピル、ヒドロキシエチル等、ポリ（Ｃ2〜Ｃ3アルコキシ）、好ましくは、ポリエトキシ基、ベンジル、またはそれらの混合物のいずれかであり；それぞれのｍは、２または３であり；それぞれのｎは、１〜約４、好ましくは、２であり；それぞれのＹは、−Ｏ−（Ｏ）Ｃ−、−Ｃ（Ｏ）−Ｏ−、−ＮＲ−Ｃ（Ｏ）−、または−Ｃ（Ｏ）−ＮＲ−であり、それぞれのＹは、同じであってもまたは異なっていてもよく；Ｙが、−Ｏ−（Ｏ）Ｃ−または−ＮＲ−Ｃ（Ｏ）−である場合には１を足した、それぞれのＲ1における炭素の和は、Ｃ12〜Ｃ22、好ましくは、Ｃ14〜Ｃ20であり、それぞれのＲ1は、ヒドロカルビルまたは置換ヒドロカルビル基であり；Ｒ1は、不飽和または飽和であってよく、分枝または線状であってよく、好ましくは、線状であり；それぞれのＲ1は、同じであってもまたは異なっていてもよく、好ましくは、同じであり；Ｘ-は、任意の軟化剤適合性アニオン、好ましくは、塩素イオン、臭素イオン、メチル硫酸イオン、エチル硫酸イオン、硫酸イオン、リン酸イオンおよび硝酸イオン、より好ましくは、塩素イオンまたはメチル硫酸イオンであってよい）を含む化合物を含む。好ましいＤＱＡ化合物は典型的には、アルカノールアミン、例として、ＭＤＥＡ（メチルジエタノールアミン）およびＴＥＡ（トリエタノールアミン）と、脂肪酸とを反応させることによって作製される。そのような反応の結果典型的に生じるいくつかの物質として、塩化Ｎ，Ｎ−ジ（アシル−オキシエチル）−Ｎ，Ｎ−ジメチルアンモニウムまたはメチル硫酸Ｎ，Ｎ−ジ（アシル−オキシエチル）−Ｎ，Ｎ−メチルヒドロキシエチルアンモニウムが挙げられ、アシル基は、動物脂肪、不飽和および多価不飽和脂肪酸、例えば、獣脂、硬化獣脂、オレイン酸および／または部分水素添加脂肪酸に由来し、オレイン酸および／または部分水素添加脂肪酸は、植物油および／または部分水素添加植物油、例として、菜種油、紅花油、落花生油、サンフラワー油、トウモロコシ油、大豆油、トール油、米ぬか油、パーム油等から得られる。
【０１６６】
適切な脂肪酸の非限定的な例が、米国特許第５，７５９，９９０号、４列、４５〜６６行に列挙されている。一実施形態では、ＦＳＡは、ＤＱＡ（１）またはＤＱＡに加えて、他の活性剤も含む。さらに別の実施形態では、ＦＳＡは、ＤＱＡ（１）またはＤＱＡのみを含み、他の四級アンモニウム化合物または他の活性剤を含有しないかまたは本質的に含有しない。さらに別の実施形態では、ＦＳＡは、ＤＱＡを生成するために使用される前駆体アミンを含む。
【０１６７】
本発明の別の態様では、ＦＳＡは、式：
【化６２】
2013531706.tif 000064
【０１６８】
（式中、それぞれのｍは、２または３であり、それぞれのＲ1は、Ｃ6〜Ｃ22、好ましくは、Ｃ14〜Ｃ20（しかし、１つ以下のＲ1は、約Ｃ12未満であり、その場合、他のＲ1は、少なくとも約１６である）ヒドロカルビルまたは置換ヒドロカルビル置換基、好ましくは、Ｃ10〜Ｃ20アルキルまたはアルケニル（時にはまた、「アルキレン」とも呼ばれる多価不飽和アルキルを含めた、不飽和アルキル）、最も好ましくは、Ｃ12〜Ｃ18アルキルまたはアルケニルであり、分枝または非分枝である）を含むＤＴＴＭＡＣとして特定される化合物を含む。一実施形態では、ＦＳＡのヨウ素価（ＩＶ）は、約１〜７０であり；それぞれのＲは、Ｈ、または短鎖Ｃ1〜Ｃ6、好ましくは、Ｃ1〜Ｃ3アルキルもしくはヒドロキシアルキル基、例えば、メチル（最も好ましい）、エチル、プロピル、ヒドロキシエチル等、ベンジル、または（Ｒ2Ｏ）2〜4Ｈ（式中、それぞれのＲ2は、Ｃ1〜Ｃ6アルキレン基である）であり；Ａ-は、軟化剤適合性アニオン、好ましくは、塩素イオン、臭素イオン、メチル硫酸イオン、エチル硫酸イオン、硫酸イオン、リン酸イオンまたは硝酸イオン；より好ましくは、塩素イオンまたはメチル硫酸イオンである。
【０１６９】
これらのＦＳＡの例として、ジアルキルジメチルアンモニウム塩およびジアルキレンジメチルアンモニウム塩、例として、ジタロージメチルアンモニウムおよびメチル硫酸ジタロージメチルアンモニウムが挙げられる。本発明において使用可能な市販されているジアルキレンジメチルアンモニウム塩の例が、塩化二水素添加タロージメチルアンモニウムおよび塩化ジタロージメチルアンモニウムであり、これらは、Ｄｅｇｕｓｓａから、それぞれ、商品名Ａｄｏｇｅｎ（登録商標）４４２およびＡｄｏｇｅｎ（登録商標）４７０の下で入手可能である。一実施形態では、ＦＳＡは、ＤＴＴＭＡＣに加えて、他の活性剤を含む。さらに別の実施形態では、ＦＳＡは、ＤＴＴＭＡＣ化合物のみを含み、他の四級アンモニウム化合物または他の活性剤を含有しないかまたは本質的に含有しない。
【０１７０】
一実施形態では、ＦＳＡは、２００４年１０月１４日公開のＣｏｒｏｎａらに対する米国特許出願公開第２００４／０２０４３３７Ａ１号、段落３０〜７９に記載されているＦＳＡを含む。別の実施形態では、ＦＳＡは、２００５年１１月１８日公開のＳｍｉｔｈらに対する米国特許出願公開第２００４／０２２９７６９Ａ１号、段落２６〜３１；または米国特許第６，４９４，９２０号（「エステルクアット（esterquat）」または四級化脂肪酸トリエタノールアミンエステル塩を詳述する１列、５１行以下参照）に記載されているＦＳＡである。
【０１７１】
一実施形態では、ＦＳＡは、以下のうちの少なくとも１つから選ばれる：塩化ジタローオイルオキシエチルジメチルアンモニウム、塩化二水素添加タローオイルオキシエチルジメチルアンモニウム、塩化ジタロージメチルアンモニウム、メチル硫酸ジタローオイルオキシエチルジメチルアンモニウム、塩化二水素添加タローオイルオキシエチルジメチルアンモニウム、塩化二水素添加タローオイルオキシエチルジメチルアンモニウム、またはそれらの組合せ。
【０１７２】
一実施形態では、また、ＦＳＡは、アミド含有化合物組成を含むこともできる。ジアミドを含む化合物の例として、これらに限定されないが、メチル硫酸メチル−ビス（タローアミドエチル）−２−ヒドロキシエチルアンモニウム（Ｄｅｇｕｓｓａから、商品名Ｖａｒｉｓｏｆｔ  １１０およびＶａｒｉｓｏｆｔ  ２２２の下で入手可能である）を挙げることができる。アミド−エステル含有化合物の例が、Ｎ−［３−（ステアロイルアミノ）プロピル］−Ｎ−［２−（ステアロイルオキシ）エトキシ）エチル）］−Ｎ−メチルアミンである。
【０１７３】
本発明の別の特定の実施形態は、カチオン性デンプンをさらに含む濯ぎ添加型織物軟化組成物も提供する。カチオン性デンプンは、ＵＳ２００４／０２０４３３７Ａ１に開示されている。一実施形態では、濯ぎ添加型織物軟化組成物は、織物軟化組成物の重量に関して、約０．１％〜約７％のカチオン性デンプンを含む。一実施形態では、カチオン性デンプンは、Ｎａｔｉｏｎａｌ  Ｓｔａｒｃｈ製のＨＣＰ４０１である。
【０１７４】
適切な洗濯用成分
本発明のためには不可欠ではないが、以下に示す洗濯用成分の非限定的なリストは、洗濯用組成物中で使用するのに適しており、望ましくは、本発明の特定の実施形態では、香料、着色剤、染料等の場合と同様に、例えば、性能を支援もしくは増強するため、清浄しようとする基材を処理するため、または組成物の美観を改変するために組み込むことができる。そのような成分は、いずれかの特定の実施形態のためにこれまでに列挙した構成成分に追加されることを理解されたい。そのような補助剤の総量は、洗濯用組成物の重量に関して、約０．１％〜約５０％に、または約１％〜約３０％にも及び得る。
【０１７５】
これらの追加の構成成分の正確な性質およびそれらの組込みのレベルは、組成物の物理的形態および使用しようとする操作の性質に依存する。適切な洗濯用成分として、これに限定されないが、ポリマー、例えば、カチオン性ポリマー、界面活性剤、ビルダー、キレート化剤、染料移動阻害剤、分散剤、酵素および酵素安定化剤、触媒物質、ブリーチ活性化剤、ポリマー分散化剤、粘土質土壌除去／抗再付着剤、光沢剤、泡立ち抑制剤、染料、追加の香料および香料送達系、構造伸縮化剤（structure elasticizing agent）、織物軟化剤、担体、ヒドロトロープ、加工助剤、ならびに／または色素が挙げられる。下記の本開示に加えて、そのような他の補助剤の適切な例および使用レベルが、米国特許第５，５７６，２８２号、第６，３０６，８１２Ｂ１号および第６，３２６，３４８Ｂ１号に見出され、これらは、参照により組み込まれている。
【０１７６】
記述したように、洗濯用成分は、出願人らの洗濯用組成物に不可欠であるとは限らない。したがって、出願人らの組成物の特定の実施形態は、以下の補助剤物質のうちの１以上を含有しない：ブリーチ活性化剤、界面活性剤、ビルダー、キレート化剤、染料移動阻害剤、分散剤、酵素および酵素安定化剤、触媒金属錯体、ポリマー分散化剤、粘土および土壌の除去／抗再付着剤、光沢剤、泡立ち抑制剤、染料、追加の香料および香料送達系、構造伸縮化剤、織物軟化剤、担体、ヒドロトロープ、加工助剤、ならびに／または色素。しかし、１以上の補助剤が存在する場合、そのような１以上の補助剤は、下記の詳述に従って存在し得る。
【０１７７】
界面活性剤−本発明による組成物は、界面活性剤または界面活性剤系を含むことができ、界面活性剤は、非イオン性および／もしくはアニオン性および／もしくはカチオン性の界面活性剤、ならびに／または両性電解質性および／もしくは双性イオン性および／もしくは半極性の非イオン性界面活性剤から選択することができる。界面活性剤は典型的には、清浄化組成物の重量に関して、約０．１％から、約１％からまたはさらに約５％から、清浄化組成物の重量に関して、約９９．９％まで、約８０％まで、約３５％までまたはさらに約３０％までのレベルで存在する。
【０１７８】
ビルダー−本発明の組成物は、１以上の洗剤のビルダーまたはビルダー系を含むことができる。ビルダーが存在する場合、組成物は典型的には、前記ビルダーの重量に関して、少なくとも約１％のビルダー、または約５％もしくは１０％から約８０％、５０％、またはさらに３０％までのビルダーを含む。ビルダーとして、これに限定されないが、アルカリ金属、ポリリン酸のアンモニウムおよびアルカノールアンモニウム塩、アルカリ金属のケイ酸塩、アルカリ土類およびアルカリ金属の炭酸塩、アルミノシリケートビルダー  ポリカルボン酸化合物、エーテルヒドロキシポリカルボキシレート、マレイン酸無水物とエチレンまたはビニルメチルエーテルとのコポリマー、１，３，５−トリヒドロキシベンゼン−２，４，６−トリスルホン酸、ならびにカルボキシメチル−オキシコハク酸、ポリ酢酸、例として、エチレンジアミン四酢酸およびニトリロ三酢酸の、種々のアルカリ金属、アンモニウムおよび置換アンモニウム塩、ならびにポリカルボン酸、例として、メリト酸、コハク酸、オキシジコハク酸、ポリマレイン酸、ベンゼン１，３，５−トリカルボン酸、カルボキシメチルオキシコハク酸、およびそれらの溶解性の塩が挙げられる。
【０１７９】
キレート化剤−また、本明細書の組成物は、場合により、１以上の銅、鉄および／またはマンガンキレート化剤を含有してもよい。キレート化剤を活用する場合、キレート化剤は一般に、本明細書の組成物の重量に関して、約０．１％〜約１５％、またはさらに本明細書の組成物の重量に関して、約３．０％〜約１５％含まれる。
【０１８０】
染料移動阻害剤−また、本発明の組成物は、１以上の染料移動阻害剤も含むことができる。適切なポリマー性染料移動阻害剤として、これに限定されないが、ポリビニルピロリドンポリマー、ポリアミンＮ−オキシドポリマー、Ｎ−ビニルピロリドンとＮ−ビニルイミダゾールとのコポリマー、ポリビニルオキサゾリドンおよびポリビニルイミダゾール、またはそれらの混合物が挙げられる。染料移動阻害剤は、本明細書の組成物中に存在する場合、清浄化組成物の重量に関して、約０．０００１％から、約０．０１％から、約０．０５％から、清浄化組成物の重量に関して、約１０％、約２％またはさらに約１％までのレベルで存在する。
【０１８１】
分散剤−また、本発明の組成物は、分散剤も含有することができる。適切な水溶性有機物質は、ホモもしくはコポリマー酸、またはそれらの塩であり、この場合、ポリカルボン酸が、２以下の炭素原子により相互に分離されている少なくとも２つカルボキシルラジカルを含むことができる。
【０１８２】
酵素−組成物は、１以上の洗剤用酵素を含むことができ、これらの酵素は、清浄化性能および／または織物の手入れの利益をもたらす。適切な酵素の例として、これに限定されないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ（malanase）、β−グルカナーゼ、アラビノシダーゼ、ヒアルロニダーゼ、コンドロイチナーゼ、ラッカーゼおよびアミラーゼ、またはそれらの混合物が挙げられる。典型的な組合せは、アミラーゼと併せた、プロテアーゼ、リパーゼ、クチナーゼおよび／またはセルラーゼのような従来の適用可能な酵素のカクテルである。
【０１８３】
酵素安定化剤−組成物、例えば、洗剤中で使用するための酵素は、種々の技法により安定化させることができる。本明細書で利用する酵素を、カルシウムおよび／またはマグネシウムイオンを酵素に提供する完成組成物中のそのようなイオンの水溶性の供給源の存在により安定化させることができる。
【０１８４】
触媒金属錯体−出願人らの組成物は、触媒金属錯体を含むことができる。金属含有ブリーチ触媒の１つのタイプは、確定したブリーチ触媒活性の遷移金属カチオン、例として、銅、鉄、チタン、ルテニウム、タングステン、モリブデンまたはマンガンのカチオン、ブリーチ触媒活性をほとんどまたは全く有さない補助的な金属カチオン、例として、亜鉛またはアルミニウムのカチオン、ならびに触媒のおよび補助的な金属カチオンについての確定した安定度定数を有する封鎖剤（特に、エチレンジアミン四酢酸、エチレンジアミン四（メチレンホスホン酸）およびそれらの水溶性塩）を含む触媒系である。そのような触媒が、米国特許４，４３０，２４３号に開示されている。
【０１８５】
所望により、本明細書の組成物は、マンガン化合物による触媒作用を受けることができる。そのような化合物および使用レベルは、当技術分野でよく知られており、例えば、米国特許５，５７６，２８２号に開示されているマンガン系触媒が挙げられる。
【０１８６】
本明細書において有用なコバルトブリーチ触媒は、知られており、例えば、米国特許５，５９７，９３６号および５，５９５，９６７号に記載されている。そのようなコバルト触媒は、知られている手順、例えば、米国特許第５，５９７，９３６号および第５，５９５，９６７号に教示されているもの等により容易に調製される。
【０１８７】
また、本明細書の組成物は、「ＭＲＬ：macropolycyclic rigid ligand」と略される、大環状多環剛直配位子の遷移金属錯体を適切に含むこともできる。限定の目的ではなく、実際問題として、本発明における組成物および清浄化プロセスは、水性の洗浄媒体中に、およそ少なくとも０．０１ピーピーエムの有益な薬剤であるＭＲＬ種をもたらすように調節することができ、洗浄液中に、約０．００５ｐｐｍ〜約２５ｐｐｍ、約０．０５ｐｐｍ〜約１０ｐｐｍ、またはさらに約０．１ｐｐｍ〜約５ｐｐｍのＭＲＬをもたらすことができる。
【０１８８】
本遷移金属ブリーチ触媒中の好ましい遷移金属は、マンガン、鉄およびクロムを含む。本明細書の好ましいＭＲＬは、架橋している、超剛直配位子の特別なタイプ、例として、５，１２−ジエチル−１，５，８，１２−テトラアザビシクロ［６．６．２］ヘキサ−デカンである。
【０１８９】
適切な遷移金属ＭＲＬは、知られている手順、例えば、ＷＯ００／３２６０１および米国特許第６，２２５，４６４号に教示されているもの等により容易に調製される。
【０１９０】
以下の例は、上記に記載した主題をさらに例証するが、当然ながら、いかなる場合であっても、その範囲を限定すると解釈してはならない。
【０１９１】
［例１］
この例は、本発明によるいくつかの化合物の構造を記載する。化合物は、説明において上記した方法により合成することができる。
【表１−１】
2013531706.tif 000065
【表１−２】
2013531706.tif 000066
【表１−３】
2013531706.tif 000067
【表１−４】
2013531706.tif 000068
【表１−５】
2013531706.tif 000069
【表１−６】
2013531706.tif 000070
【表１−７】
2013531706.tif 000071
【表１−８】
2013531706.tif 000072
【表１−９】
2013531706.tif 000073
【表１−１０】
2013531706.tif 000074
【０１９２】
比較試料１は、市販されている蛍光増白剤である。表１に記載する化合物のうちのいくつかに試験を行って、織物のＣＩＥ白色度を改善する能力および織物上に付着するそれらの能力を評価した。これらの試験を、下記に記載する。
【０１９３】
［例２］
この例は、白色度指数の変化を実証する。これは、織物（例えば、綿織物）を、本発明による化合物を用いて処理することによって達成することができる。
【０１９４】
１００％  Ｃｏｔｔｏｎ  Ｓｔｙｌｅ  ４３７Ｗ（漂白済み）織物（ロット５０６３）の試料を、ＡＡＴＣＣ標準の強力液体（ＨＤＬ：heavy duty liquid）洗濯洗剤を用いて前処理した。この洗剤は、蛍光増白剤を含有しなかった。試料を、標準的な洗浄および乾燥の手順において、ＨＤＬを用いて３回洗浄することによって前処理した。
【０１９５】
次に、２．５％のＡＡＴＣＣ標準のＨＤＬ洗濯洗剤（これは、蛍光増白剤を含有しなかった）を含有する１リットルの洗浄浴を調製し、ターゴトメーターに添加した。次いで、所望の量の蛍光増白剤を、適切な溶媒（例えば、メタノールまたはＤＭＳＯ）中の蛍光増白剤の０．１％溶液の形態で提供し、洗浄水に添加した。次いで、上記の前処理した綿織物の試料を、ターゴトメーターに、約２５の液比を得るのに十分な量で添加した（例えば、１リットルの洗浄水に対して、約４０ｇの織物を添加した）。次いで、織物試料を、ＨＤＬおよび蛍光増白剤を含有する洗浄水中に浸漬し、ターゴトメーター上で、１回のシミュレーション洗浄サイクルを行った。織物試料を、およそ５０ｒｐｍ、およそ２５℃の温度で、およそ１０分間撹拌した。
【０１９６】
次いで、洗浄した織物試料を、ターゴトメーターから取り出し、光および汚染から保護しながら、空気乾燥させた。織物試料が乾燥したら、織物試料のＣＩＥ白色度を、Ｃｏｌｏｒｅｙｅ  ７０００Ａを使用して測定した。本発明による化合物について測定したＣＩＥ白色度の値を、下記の表２に記載する。表は、それぞれの化合物について、洗浄水中の化合物の異なる濃度におけるＣＩＥ白色度の値を記載する。
【表２】
2013531706.tif 000075
【０１９７】
対照織物（すなわち、蛍光増白剤を用いて処理しなかった織物）のＣＩＥ白色度の値は、８０台の低い値であった。したがって、表２に記載する結果は、本発明による化合物が、とりわけ、より高い濃度においては、綿織物のＣＩＥ白色度を改善することができることを示している。
【０１９８】
［例３］
この例は、本発明による特定の化合物の、ポリエステル系の織物上に付着する能力を実証する。
【０１９９】
ポリエステル系の織物を、例２に記載した一般的な手順に従って洗浄した。織物をターゴトメーターに添加する前に、洗浄水中の蛍光増白剤化合物の最初の濃度を決定することができるように、洗浄水の試料を採取し、保管した。織物を、上記の記載に従って洗浄した後、洗浄水中の蛍光増白剤化合物の最終濃度を決定することができるように、洗浄水の別の試料を採取し、保管した。洗浄の前と後との濃度差を使用して、ポリエステル織物上に付着した蛍光増白剤化合物の量を決定した。付着した蛍光増白剤化合物のパーセントとして報告する付着効率を、下記の表３に報告する。
【表３】
2013531706.tif 000076
【０２００】
表３のデータから見られ得るように、本発明の化合物は一般に、ポリエステル織物上への、市販されている蛍光増白剤よりも優れた付着を示している。
【０２０１】
刊行物、特許出願および特許を含めて、本明細書に引用する全ての参考文献は、各参考文献が、参照により組み込まれていることが個々および具体的に示されており、その全体が本明細書に記載されているのと同じ程度に、参照により本明細書に組み込まれている。
【０２０２】
用語「１つの（ａ）」および「１つの（ａｎ）」および「その（ｔｈｅ）」ならびに類似の指示対象の使用は、本出願の主題を記載する文脈においては（とりわけ、以下の特許請求の範囲の文脈においては）、本明細書において別段の記載がないかまたは文脈が明らかに矛盾しない限り、単数形と複数形の両方を包含すると解釈すべきである。用語「含む（ｃｏｍｐｒｉｓｉｎｇ）」、「有する（ｈａｖｉｎｇ）」、「含む（ｉｎｃｌｕｄｉｎｇ）」および「含有する（ｃｏｎｔａｉｎｉｎｇ）」は、別段の記載がない限り、無制限の用語（すなわち、「これらに限定されないが、〜が挙げられる（ｉｎｃｌｕｄｉｎｇ，ｂｕｔ  ｎｏｔ  ｌｉｍｉｔｅｄ  ｔｏ）を意味する」）と解釈すべきである。本明細書における値の範囲の列挙は、本明細書において別段の記載がない限り、範囲内に収まるそれぞれの別個の値を個々に指す省略表現の方法として働くことを単に意図するに過ぎず、それぞれの別個の値は、本明細書に個々に列挙するかのごとく、本明細書に組み込まれている。本明細書に記載する方法は全て、本明細書において別段の記載がないかまたは別段の記載がなくても文脈が明らかに矛盾しない限り、任意の適切な順番で実施することができる。本明細書に示す、あらゆる例または例示的な言葉遣い（例えば、「例として（ｓｕｃｈ  ａｓ）」）の使用は、出願の主題をより良好に明示することを単に意図するに過ぎず、別段の主張がない限り、主題の範囲を限定しない。本明細書の言葉遣いはいずれも、何らかの主張されていない要素が、本明細書に記載する主題の実行に不可欠であることを示すと解釈してはならない。
【０２０３】
主張する主題を実施するための、本発明者らに既知の最良の形態を含めて、本出願の主題の好ましい実施形態を本明細書に記載する。それらの好ましい実施形態の変更形態が、前述の説明を読み取れば、当業者に明らかとなり得る。本発明者らは、当業者がそのような変更形態を必要に応じて利用することを予想する。本発明者らは、本明細書に記載する主題が、本明細書の具体的な記載とは異なって実行されることを意図する。したがって、本開示は、適用法が認めるものとして、本明細書に添付する特許請求の範囲に記載する主題の改変形態および均等物を全て含む。さらに、それらの可能な変更形態全てにおける上記記載の要素の任意の組合せも、本明細書において別段の記載がないかまたは別段の記載がなくても文脈が明らかに矛盾しない限り、本開示により包含される。
【国際調査報告】
2013531706.tif 000126
2013531706.tif 000127
2013531706.tif 000128
2013531706.tif 000129
2013531706.tif 000130
2013531706.tif 000131